(57)【要約】  本発明では、下りリンクデータが割り当てられた時間−周波数リソースのうち、下りリンクデータがパンクチャリングされたリソースを示すパンクチャリング情報が使用者器機に提供される。使用者器機はパンクチャリング情報に基づいて時間−周波数リソース内で受信された下りリンクデータを復号する。下りリンクデータは時間−周波数リソースにおいて時間−優先リソースマッピング方式及び周波数−優先リソースマッピング方式の組み合わせでマッピングされるか、或いは分散リソースマッピング方式でマッピングされる。【選択図】図８
2019526189.tif 000002
【特許請求の範囲】
【請求項１】
使用者器機が下りリンク信号を受信するにおいて、
下りリンクデータが割り当てられた時間−周波数リソースのうち、前記下りリンクデータがパンクチャリングされたリソースを示すパンクチャリング情報を受信することと、
前記パンクチャリング情報に基づいて前記時間−周波数リソース内で受信された前記下りリンクデータを復号することを含む、下りリンク信号受信方法。
【請求項２】
前記時間−周波数リソースは、時間ドメインで各々のＯＦＤＭシンボルグループが１つ以上のＯＦＤＭシンボルを含む１つ以上のＯＦＤＭシンボルグループをスパンし、
前記パンクチャリング情報は、前記１つ以上のＯＦＤＭシンボルグループのうち、パンクチャリングされたＯＦＤＭシンボルグループを示す情報である、請求項１記載の下りリンク信号受信方法。
【請求項３】
前記パンクチャリング情報は、パンクチャリングされたＯＦＤＭシンボルグループごとに受信されるパンクチャリングチャネルで受信される、請求項２記載の下りリンク信号受信方法。
【請求項４】
該当ＯＦＤＭシンボルグループのためのパンクチャリングチャネルが検出される場合、前記使用者器機は前記該当ＯＦＤＭシンボルグループに前記下りリンクデータがあると判断する、請求項３記載の下りリンク信号受信方法。
【請求項５】
前記パンクチャリング情報は、前記下りリンクデータのニューマロロジーと異なるニューマロロジーを使用するデータによってパンクチャリングされたリソースを示す、請求項１記載の下りリンク信号受信方法。
【請求項６】
前記パンクチャリング情報は、前記下りリンクデータが受信される下りリンク送信時間間隔(ｔｒａｎｓｍｉｓｓｉｏｎ  ｔｉｍｅ  ｉｎｔｅｒｖａｌ，ＴＴＩ)の次の下りリンクＴＴＩで受信される、請求項１記載の下りリンク信号受信方法。
【請求項７】
さらに、基本長さのＴＴＩより短いＴＴＩで送信される上りリンクデータに対するスケジューリング情報を受信することと、
前記上りリンクデータを最大の送信電力或いは特定の送信電力で送信することを含む、請求項１記載の下りリンク信号受信方法。
【請求項８】
使用者器機が下りリンク信号を受信するにおいて、
無線周波数(ｒａｄｉｏ  ｆｒｅｑｕｅｎｃｙ，ＲＦ)ユニットと、
前記ＲＦユニットを制御するように構成されたプロセッサを含み、
前記プロセッサは、
下りリンクデータが割り当てられた時間−周波数リソースのうち、前記下りリンクデータがパンクチャリングされたリソースを示すパンクチャリング情報を受信するように前記ＲＦユニットを制御し、
前記パンクチャリング情報に基づいて前記時間−周波数リソース内で受信された前記下りリンクデータを復号する、使用者器機。
【請求項９】
基地局が下りリンク信号を送信するにおいて、
下りリンクデータが割り当てられた時間−周波数リソースのうちの一部をパンクチャリングして前記下りリンクデータを使用者器機に送信することと、
前記下りリンクデータがパンクチャリングされたリソースを示すパンクチャリング情報を前記使用者器機に送信することを含む、下りリンク信号送信方法。
【請求項１０】
基地局が下りリンク信号を送信するにおいて、
無線周波数(ｒａｄｉｏ  ｆｒｅｑｕｅｎｃｙ，ＲＦ)ユニットと、
前記ＲＦユニットを制御するように構成されたプロセッサを含み、
前記プロセッサは、
下りリンクデータが割り当てられた時間−周波数リソースのうちの一部をパンクチャリングして前記下りリンクデータを使用者器機に送信するように前記ＲＦユニットを制御し、
前記下りリンクデータがパンクチャリングされたリソースを示すパンクチャリング情報を前記使用者器機に送信するように前記ＲＦユニットを制御することを含む、基地局。
【請求項１１】
使用者器機が下りリンク信号を受信するにおいて、
前記使用者器機に割り当てられた時間−周波数リソースで下りリンクデータを受信することと、
前記時間−周波数リソースにマッピングされた前記下りリンクデータを復元することを含み、
前記下りリンクデータは前記時間−周波数リソースに組み合わせリソースマッピング方式或いは分散リソースマッピング方式でマッピングされ、
前記組み合わせリソースマッピング方式は、前記時間−周波数リソース領域に含まれたＸ個の時間領域の各々で時間を先にし、周波数を後にするマッピング方式で前記下りリンクデータをマッピングし、ここで、Ｘは１より大きい定数であり、
前記分散リソースマッピング方式は、前記時間−周波数リソース領域内で斜線方向に前記下りリンクデータをマッピングする、下りリンク信号受信方法。
【請求項１２】
さらに、Ｘを表す情報を受信することを含む、請求項１１記載の下りリンク信号受信方法。
【請求項１３】
前記下りリンクデータは１つ以上のコードブロックにセグメントされ、Ｘはコードブロックの個数によって決定される値である、請求項１１記載の下りリンク信号受信方法。
【請求項１４】
前記分散リソースマッピング方式では、前記時間−周波数リソース領域のうち、リソース要素(ｍ１，ｎ１)から始まってリソース要素(ｍｉ＋１，ｎｉ＋１)＝((ｍｉ＋ａ)ｍｏｄ  Ｍ，(ｎｉ＋ｂ)ｍｏｄ  Ｎ)の順にマッピングされ、ここで、ｍ１は前記時間−周波数リソース領域のうち、最低の副搬送波インデックスであり、ｎ１は前記時間−周波数リソース領域のうち、最低のＯＦＤＭシンボルインデックスであり、前記リソース要素(ｍｉ＋１，ｎｉ＋１)は前記時間−周波数リソース領域のうち、前記下りリンクデータがｉ＋１番目にマッピングされるリソース要素であり、Ｍは前記時間−周波数リソース領域内の副搬送波の個数であり、Ｎは前記時間−周波数リソース領域内のＯＦＤＭシンボルの個数であり、ａとｂは正の定数である、請求項１０記載の下りリンク信号受信方法。
【請求項１５】
ａ＝１であり、ｂ＝１である、請求項１４記載の下りリンク信号受信方法。
【請求項１６】
前記下りリンクデータは複数個のコードブロックにセグメントされ、
前記複数個のコードブロックは互いにインターリービングされて前記時間−周波数リソース領域にマッピングされる、請求項１１記載の下りリンク信号受信方法。
【請求項１７】
使用者器機が下りリンク信号を受信するにおいて、
無線周波数(ｒａｄｉｏ  ｆｒｅｑｕｅｎｃｙ、ＲＦ)ユニットと、
前記ＲＦユニットを制御するように構成されたプロセッサを含み、
前記プロセッサは、
前記使用者器機に割り当てられた時間−周波数リソースで下りリンクデータを受信するように前記ＲＦユニットを制御し、
前記時間−周波数リソースにマッピングされた前記下りリンクデータを復元する、
前記下りリンクデータは前記時間−周波数リソースに組み合わせリソースマッピング方式或いは分散リソースマッピング方式でマッピングされる、
前記組み合わせリソースマッピング方式は、前記時間−周波数リソース領域に含まれたＸ個の時間領域の各々で時間を先にし、周波数を後にするマッピング方式で前記下りリンクデータをマッピングし、ここで、Ｘは１より大きい定数であり、
前記分散リソースマッピング方式は、前記時間−周波数リソース領域内で斜線方向に前記下りリンクデータをマッピングする、使用者器機。
【請求項１８】
基地局が下りリンク信号を送信するにおいて、
使用者器機に割り当てられた時間−周波数リソースに下りリンクデータをマッピングすることと、前記時間−周波数リソースにマッピングされた前記下りリンクデータを送信することを含み、
前記基地局は、組み合わせリソースマッピング方式或いは分散リソースマッピング方式で前記下りリンクデータを前記時間−周波数リソースにマッピングし、
前記組み合わせリソースマッピング方式は、前記時間−周波数リソース領域に含まれたＸ個の時間領域の各々で時間を先にし、周波数を後にするマッピング方式で前記下りリンクデータをマッピングし、ここで、Ｘは１より大きい定数であり、
前記分散リソースマッピング方式は、前記時間−周波数リソース領域内で斜線方向に前記下りリンクデータをマッピングする、下りリンク信号送信方法。
【請求項１９】
基地局が下りリンク信号を送信するにおいて、
無線周波数(ｒａｄｉｏ  ｆｒｅｑｕｅｎｃｙ、ＲＦ)ユニットと、
前記ＲＦユニットを制御するように構成されたプロセッサを含み、
前記プロセッサは、
使用者器機に割り当てられた時間−周波数リソースに下りリンクデータをマッピングし、前記時間−周波数リソースにマッピングされた前記下りリンクデータを送信するように前記ＲＦユニットを制御し、
前記プロセッサは、組み合わせリソースマッピング方式或いは分散リソースマッピング方式で前記下りリンクデータを前記時間−周波数リソースにマッピングし、
前記組み合わせリソースマッピング方式は、前記時間−周波数リソース領域に含まれたＸ個の時間領域の各々で時間を先にし、周波数を後にするマッピング方式で前記下りリンクデータをマッピングし、ここで、Ｘは１より大きい定数であり、
前記分散リソースマッピング方式は、前記時間−周波数リソース領域内で斜線方向に前記下りリンクデータをマッピングする、基地局。
【発明の詳細な説明】
【技術分野】
【０００１】
本発明は無線通信システムに関し、より詳しくは、下りリンク信号を送受信する方法及び装置に関する。
【背景技術】
【０００２】
器機間（Ｍａｃｈｉｎｅ−ｔｏ−Ｍａｃｈｉｎｅ、Ｍ２Ｍ）通信と、高いデータ送信量を要求するスマートフォン、タブレットＰＣなどの様々な装置及び技術が出現及び普及されている。これに伴い、セルラー網で処理されることが要求されるデータ量も急増している。このように急増するデータ処理要求量を満たすために、より多くの周波数帯域を效率的に用いるための搬送波集約（ｃａｒｒｉｅｒ  ａｇｇｒｅｇａｔｉｏｎ）技術、認知無線（ｃｏｇｎｉｔｉｖｅ  ｒａｄｉｏ）技術などと、限られた周波数内で送信されるデータ容量を高めるための多重アンテナ技術、多重基地局協調技術などが発展している。
【０００３】
一般の無線通信システムは、１つの下りリンク（ｄｏｗｎｌｉｎｋ、ＤＬ）帯域とこれに対応する１つの上りリンク（ｕｐｌｉｎｋ、ＵＬ）帯域でデータ送／受信を行ったり（周波数分割デュプレックス（ｆｒｅｑｕｅｎｃｙ  ｄｉｖｉｓｉｏｎ  ｄｕｐｌｅｘ、ＦＤＤ）モードの場合）、所定の無線フレーム（Ｒａｄｉｏ  Ｆｒａｍｅ）を時間ドメイン（ｔｉｍｅ  ｄｏｍａｉｎ）で上りリンク時間ユニットと下りリンク時間ユニットとに区分し、上りリンク／下りリンク時間ユニットでデータ送／受信を行う（時分割デュプレックス（ｔｉｍｅ  ｄｉｖｉｓｉｏｎ  ｄｕｐｌｅｘ、ＴＤＤ）モードの場合）。基地局（ｂａｓｅ  ｓｔａｔｉｏｎ、ＢＳ）とユーザ器機（ｕｓｅｒ  ｅｑｕｉｐｍｅｎｔ、ＵＥ）は、所定の時間ユニット（ｕｎｉｔ）、例えば、サブフレーム（ｓｕｂｆｒａｍｅ、ＳＦ）内で、スケジュールされたデータ及び／又は制御情報を送受信する。データは、上りリンク／下りリンクサブフレームに設定されたデータ領域を通じて送受信され、制御情報は、上りリンク／下りリンクサブフレームに設定された制御領域を通じて送受信される。そのために、無線信号を搬送する様々な物理チャネルが上りリンク／下りリンクサブフレームに設定される。これに対し、搬送波集約技術は、より広い周波数帯域を用いるために複数の上りリンク／下りリンク周波数ブロックを集めてより大きい上りリンク／下りリンク帯域幅を用いることによって、単一搬送波が用いられる場合に比べて多量の信号を同時に処理することができる。
【０００４】
一方、ＵＥが周辺で接続（ａｃｃｅｓｓ）し得るノード（ｎｏｄｅ）の密度が高くなる方向に通信環境が進化している。ノードとは、１つ以上のアンテナを有し、ＵＥと無線信号を送信／受信できる固定した地点（ｐｏｉｎｔ）のことを指す。高い密度のノードを備えた通信システムは、ノード間の協調によってより高い性能の通信サービスをＵＥに提供することができる。
【０００５】
多数の通信器機がより大きな通信容量を要求することにより、レガシー無線接続技術(ｒａｄｉｏ  ａｃｃｅｓｓ  ｔｅｃｈｎｏｌｏｇｙ，ＲＡＴ)に比べて向上したモバイル広帯域(ｅｎｈａｎｃｅｄ  ｍｏｂｉｌｅ  ｂｒｏａｄｂａｎｄ、ｅＭＢＢ)通信の必要性が高まっている。また、多数の器機及び物事を連結していつでもどこでも多様なサービスを提供する大規模機械タイプ通信(ｍａｓｓｉｖｅ  Ｍａｃｈｉｎｅ  Ｔｙｐｅ  Ｃｏｍｍｕｎｉｃａｔｉｏｎｓ，ｍＭＴＣ)が次世代通信の主要争点の1つになっている。
【０００６】
さらに信頼性及び待機時間などに敏感なサービス／ＵＥを考慮して設計される通信システムも考えられている。次世代無線接続技術の導入は、ｅＭＢＢ通信、ｍＭＴＣ、超信頼性及び低待機時間通信(ｕｌｔｒａ−ｒｅｌｉａｂｌｅ  ａｎｄ  ｌｏｗ  ｌａｔｅｎｃｙ  ｃｏｍｍｕｎｉｃａｔｉｏｎ，ＵＲＬＬＣ)などを考慮して論議されている。
【発明の概要】
【発明が解決しようとする課題】
【０００７】
新しい無線通信技術の導入から、基地局が所定リソース領域でサービスを提供すべきＵＥの個数が増加するだけでなく、上記基地局がサービスを提供するＵＥと送信／受信するデータと制御情報の量も増加している。基地局がＵＥとの通信に利用可能な無線リソースの量は有限のため、基地局が有限の無線リソースを用いて上りリンク／下りリンクデータ及び／又は上りリンク／下りリンク制御情報をＵＥから／に效率的に受信／送信するための新しい方案が要求される。
【０００８】
技術の発達に伴い、遅れ(ｄｅｌａｙ)或いは遅延(ｌａｔｅｎｃｙ)の克服が重要な問題となっている。遅れ／遅延により性能が大きく左右されるアプリケーションが増加している。従って、既存のシステムに比べて遅れ／遅延を減少させる方案が要求されている。
【０００９】
またスマート器機の発達に伴い、少量のデータを効率的に送受信し、また低い頻度で発生するデータを効率的に送受信するための新しい方案が要求されている。
【００１０】
さらに新しい無線接続技術(ｎｅｗ  ｒａｄｉｏ  ａｃｃｅｓｓ  ｔｅｃｈｎｏｌｏｇｙ，ＮＲ)を支援するシステムにおいて信号を送受信する方法も要求されている。
【００１１】
本発明で遂げようとする技術的目的は以上で言及した事項に限定されず、言及していない別の技術的課題は、以下に説明する本発明の実施例から、本発明の属する技術の分野における通常の知識を有する者によって考慮され得る。
【課題を解決するための手段】
【００１２】
本発明の一態様として、使用者器機が下りリンク信号を受信する方法が提供される。この方法は、下りリンクデータが割り当てられた時間−周波数リソースのうち、下りリンクデータがパンクチャリング(Ｐｕｎｃｔｕｒｉｎｇ)されたリソースを示すパンクチャリング情報を受信することと、パンクチャリング情報に基づいて時間−周波数リソース内で受信された下りリンクデータを復号することを含む。
【００１３】
本発明の他の態様として、下りリンク信号を受信する使用者器機が提供される。使用者器機は、無線周波数(ｒａｄｉｏ  ｆｒｅｑｕｅｎｃｙ，ＲＦ)ユニット、及びＲＦユニットを制御するように構成されたプロセッサを含む。プロセッサは、下りリンクデータが割り当てられた時間−周波数リソースのうち、下りリンクデータがパンクチャリングされたリソースを示すパンクチャリング情報を受信するようにＲＦユニットを制御し、パンクチャリング情報に基づいて時間−周波数リソース内で受信された下りリンクデータを復号する。
【００１４】
本発明のさらに他の態様として、基地局が下りリンク信号を送信する方法が提供される。この方法は、下りリンクデータが割り当てられた時間−周波数リソースのうちの一部をパンクチャリングして下りリンクデータを使用者器機に送信し、下りリンクデータがパンクチャリングされたリソースを示すパンクチャリング情報を使用者器機に送信することを含む。
【００１５】
本発明のさらに他の態様として、下りリンク信号を送信する基地局が提供される。基地局は、無線周波数(ｒａｄｉｏ  ｆｒｅｑｕｅｎｃｙ，ＲＦ)ユニット、及びＲＦユニットを制御するように構成されたプロセッサを含む。プロセッサは、下りリンクデータが割り当てられた時間−周波数リソースのうちの一部をパンクチャリングして下りリンクデータを使用者器機に送信するようにＲＦユニットを制御し、下りリンクデータがパンクチャリングされたリソースを示すパンクチャリング情報を使用者器機に送信するようにＲＦユニットを制御する。
【００１６】
本発明のさらに他の態様として、使用者器機が下りリンク信号を受信する方法が提供される。この方法は、使用者器機に割り当てられた時間−周波数リソースで下りリンクデータを受信することと、時間−周波数リソースにマッピングされた下りリンクデータを復元することを含み、下りリンクデータは時間−周波数リソースに組み合わせリソースマッピング方式或いは分散リソースマッピング方式でマッピングされる。組み合わせリソースマッピング方式は、時間−周波数リソース領域に含まれたＸ個の時間領域の各々で時間を先にし、周波数を後にするマッピング方式で下りリンクデータをマッピングし、ここで、Ｘは１より大きい定数である。分散リソースマッピング方式は、時間−周波数リソース領域内で斜線方向に下りリンクデータをマッピングする。
【００１７】
本発明のさらに他の態様として、下りリンク信号を受信する使用者器機が提供される。無線周波数(ｒａｄｉｏ  ｆｒｅｑｕｅｎｃｙ、ＲＦ)ユニット、及びＲＦユニットを制御するように構成されたプロセッサを含む。プロセッサは、使用者器機に割り当てられた時間−周波数リソースで下りリンクデータを受信するようにＲＦユニットを制御し、時間−周波数リソースにマッピングされた下りリンクデータを復元する。下りリンクデータは時間−周波数リソースに組み合わせリソースマッピング方式或いは分散リソースマッピング方式でマッピングされる。組み合わせリソースマッピング方式は、時間−周波数リソース領域に含まれたＸ個の時間領域の各々で時間を先にし、周波数を後にするマッピング方式で下りリンクデータをマッピングし、ここで、Ｘは１より大きい定数である。分散リソースマッピング方式は、時間−周波数リソース領域内で斜線方向に下りリンクデータをマッピングする。
【００１８】
本発明のさらに他の態様として、基地局が下りリンク信号を送信する方法が提供される。この方法は、使用者器機に割り当てられた時間−周波数リソースに下りリンクデータをマッピングし、時間−周波数リソースにマッピングされた下りリンクデータを送信することを含む。基地局は、組み合わせリソースマッピング方式或いは分散リソースマッピング方式で下りリンクデータを時間−周波数リソースにマッピングする。組み合わせリソースマッピング方式は、時間−周波数リソース領域に含まれたＸ個の時間領域の各々で時間を先にし、周波数を後にするマッピング方式で下りリンクデータをマッピングし、ここで、Ｘは１より大きい定数である。分散リソースマッピング方式は、時間−周波数リソース領域内で斜線方向に下りリンクデータをマッピングする。
【００１９】
本発明のさらに他の態様として、下りリンク信号を送信する基地局が提供される。基地局は、無線周波数(ｒａｄｉｏ  ｆｒｅｑｕｅｎｃｙ、ＲＦ)ユニット、及びＲＦユニットを制御するように構成されたプロセッサを含む。プロセッサは、使用者器機に割り当てられた時間−周波数リソースに下りリンクデータをマッピングし、時間−周波数リソースにマッピングされた下りリンクデータを送信するようにＲＦユニットを制御する。プロセッサは、組み合わせリソースマッピング方式或いは分散リソースマッピング方式で下りリンクデータを時間−周波数リソースにマッピングする。組み合わせリソースマッピング方式は、時間−周波数リソース領域に含まれたＸ個の時間領域の各々で時間を先にし、周波数を後にするマッピング方式で下りリンクデータをマッピングし、ここで、Ｘは１より大きい定数である。分散リソースマッピング方式は、時間−周波数リソース領域内で斜線方向に下りリンクデータをマッピングする。
【００２０】
本発明の各態様において、時間−周波数リソースは、時間ドメインで各々のＯＦＤＭシンボルグループが１つ以上のＯＦＤＭシンボルを含む１つ以上のＯＦＤＭシンボルグループをスパン(ｓｐａｎ)することができる。パンクチャリング情報は、１つ以上のＯＦＤＭシンボルグループのうち、パンクチャリングされたＯＦＤＭシンボルグループを示す情報である。
【００２１】
本発明の各態様において、パンクチャリング情報は、パンクチャリングされたＯＦＤＭシンボルグループごとに受信されるパンクチャリングチャネルを通じて送信又は受信される。
【００２２】
本発明の各態様において、基地局は、下りリンクデータがパンクチャリングされたＯＦＤＭシンボルグループに対してはパンクチャリングチャネルを送信せず、下りリンクデータがパンクチャリングされなかったＯＦＤＭシンボルグループに対してはパンクチャリングチャネルを送信する。該当ＯＦＤＭシンボルグループのためのパンクチャリングチャネルが検出される場合、使用者器機は該当ＯＦＤＭシンボルグループに下りリンクデータがあると判断できる。該当ＯＦＤＭシンボルグループのためのパンクチャリングチャネルが検出されない場合、使用者器機は該当ＯＦＤＭシンボルグループで下りリンクデータがパンクチャリングされたと仮定して下りリンクデータを復号する。
【００２３】
本発明の各態様において、パンクチャリング情報は、下りリンクデータのニューマロロジーと異なるニューマロロジーを使用するデータによってパンクチャリングされたリソースを示す。
【００２４】
本発明の各態様において、パンクチャリング情報は、下りリンクデータが受信或いは送信される下りリンク送信時間間隔(ｔｒａｎｓｍｉｓｓｉｏｎ  ｔｉｍｅ  ｉｎｔｅｒｖａｌ，ＴＴＩ)の次の下りリンクＴＴＩで受信或いは送信される。
【００２５】
本発明の各態様において、基本長さのＴＴＩより短いＴＴＩで送信される上りリンクデータに対するスケジューリング情報が使用者器機に送信される。使用者器機は上りリンクデータを最大の送信電力或いは特定の送信電力で送信できる。
【００２６】
本発明の各態様において、Ｘを表す情報が使用者器機に送信される。
【００２７】
本発明の各態様において、下りリンクデータは１つ以上のコードブロックにセグメントされ、Ｘはコードブロックの個数によって決定される値である。
【００２８】
本発明の各態様において、分散リソースマッピング方式では時間−周波数リソース領域のうち、リソース要素(ｍ１，ｎ１)から始まってリソース要素(ｍｉ＋１，ｎｉ＋１)＝((ｍｉ＋ａ)ｍｏｄ  Ｍ，(ｎｉ＋ｂ)ｍｏｄ  Ｎ)の順にマッピングされる。ここで、ｍ１は時間−周波数リソース領域のうち、最低の副搬送波インデックスであり、ｎ１は時間−周波数リソース領域のうち、最低のＯＦＤＭシンボルインデックスであり、リソース要素(ｍｉ＋１，ｎｉ＋１)は時間−周波数リソース領域のうち、下りリンクデータがｉ＋１番目にマッピングされるリソース要素であり、Ｍは時間−周波数リソース領域内の副搬送波の個数であり、Ｎは時間−周波数リソース領域内のＯＦＤＭシンボルの個数であり、ａとｂは正の定数である。
【００２９】
本発明の各態様において、ａ＝１であり、ｂ＝１である。
【００３０】
本発明の各態様において、下りリンクデータは複数個のコードブロックにセグメントされ、複数個のコードブロックは互いにインターリービングされて時間−周波数リソース領域にマッピングされる。
【００３１】
上記の課題解決方法は、本発明の実施例の一部に過ぎず、当該技術の分野における通常の知識を有する者にとっては、本願発明の技術的特徴が反映された様々な実施例を、以下に説明する本発明の詳細な説明から導出できるということは明らかであろう。
【発明の効果】
【００３２】
本発明によれば、無線通信信号を效率的に送受信することができる。これによって、無線通信システムの全体処理量（ｔｈｒｏｕｇｈｐｕｔ）が向上する。
【００３３】
本発明によれば、使用者器機と基地局の通信過程で発生する遅れ／遅延が減少する。
【００３４】
またスマート器機の発達に伴って少量のデータを効率的に送受信、また低い頻度で発生するデータを効率的に送受信することができる。
【００３５】
またＮＲシステムにおいて信号を送受信することができる。
【００３６】
本発明に係る効果は、以上で言及した効果に制限されず、言及していない他の効果は、以下の発明の詳細な説明から、本発明の属する技術の分野における通常の知識を有する者には明確に理解されるであろう。
【図面の簡単な説明】
【００３７】
本発明に関する理解を助けるために詳細な説明の一部として含まれる添付の図面は、本発明に関する実施例を提供し、詳細な説明と共に本発明の技術的思想を説明する。
【図１】ＬＴＥ／ＬＴＥ−Ａ基盤の無線通信システムにおいて使用される無線フレーム構造の一例を示す図である。
【図２】ＬＴＥ／ＬＴＥ−Ａ基盤の無線通信システムにおいて下りリンク(ｄｏｗｎｌｉｎｋ，ＤＬ)／上りリンク(ｕｐｌｉｎｋ，ＵＬ)スロット構造の一例を示す図である。
【図３】ＬＴＥ／ＬＴＥ−Ａ基盤の無線通信システムにおいて使用される下りリンク(ｄｏｗｎｌｉｎｋ，ＤＬ)のサブフレームの構造を例示する図である。
【図４】ＬＴＥ／ＬＴＥ−Ａ基盤の無線通信システムにおいて使用される上りリンク(ｕｐｌｉｎｋ，ＵＬ)のサブフレームの構造を例示する図である。
【図５】短いＴＴＩの例示と短いＴＴＩ内における制御チャネルとデータチャネルの送信例を示す図である。
【図６】新しい無線接続技術(ｎｅｗ  ｒａｄｉｏ  ａｃｃｅｓｓ  ｔｅｃｈｎｏｌｏｇｙ，ＮＲ)システムにおいて利用可能なサブフレーム構造を例示する図である。
【図７】アナログビーム形成の適用例を示す図である。
【図８】特性の異なる２つのデータ送信が同一の時間−周波数リソースで衝突する場合を例示する図である。
【図９】パンクチャリングされたＯＦＤＭシンボル領域を指示する本発明の一例を示す図である。
【図１０】本発明によるリソースマッピング方法を例示する図である。
【図１１】本発明を行う送信装置１０及び受信装置２０の構成要素を示すブロック図である。
【発明を実施するための形態】
【００３８】
以下、本発明に係る好適な実施の形態を、添付の図面を参照して詳しく説明する。添付の図面と共に以下に開示される詳細な説明は、本発明の例示的な実施の形態を説明するためのものであり、本発明が実施し得る唯一の実施の形態を示すためのものではない。以下の詳細な説明は、本発明の完全な理解を提供するために具体的な細部事項を含む。しかし、当業者にとってはこのような具体的な細部事項なしにも本発明を実施できることは明らかである。
【００３９】
いくつかの場合、本発明の概念が曖昧になることを避けるために、公知の構造及び装置を省略したり、各構造及び装置の核心機能を中心にしたブロック図の形式で示すことができる。また、本明細書全体を通じて同一の構成要素については、同一の図面符号を付して説明する。
【００４０】
以下に説明する技法（ｔｅｃｈｎｉｑｕｅ）及び装置、システムは、様々な無線多元接続システムに適用することができる。多元接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システム、ＭＣ−ＦＤＭＡ（ｍｕｌｔｉ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）又はＣＤＭＡ２０００のような無線技術（ｔｅｃｈｎｏｌｏｇｙ）によって具現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）、ＧＰＲＳ（Ｇｅｎｅｒａｌ  Ｐａｃｋｅｔ  Ｒａｄｉｏ  Ｓｅｒｖｉｃｅ）、ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）（ｉ．ｅ．，ＧＥＲＡＮ）などのような無線技術によって具現することができる。ＯＦＤＭＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ−ＵＴＲＡ）などのような無線技術によって具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の一部であり、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡを用いるＥ−ＵＭＴＳの一部である。３ＧＰＰ  ＬＴＥは、下りリンク（ｄｏｗｎｌｉｎｋ、ＤＬ）ではＯＦＤＭＡを採択し、上りリンク（ｕｐｌｉｎｋ、ＵＬ）ではＳＣ−ＦＤＭＡを採択している。ＬＴＥ−Ａ（ＬＴＥ−ａｄｖａｎｃｅｄ）は、３ＧＰＰ  ＬＴＥの進化した形態である。説明の便宜のために、以下では、本発明が３ＧＰＰ  ＬＴＥ／ＬＴＥ−Ａに適用される場合を仮定して説明する。しかし、本発明の技術的特徴がこれに制限されるものではない。例えば、以下の詳細な説明が、移動通信システムが３ＧＰＰ  ＬＴＥ／ＬＴＥ−Ａシステムに対応する移動通信システムに基づいて説明されても、３ＧＰＰ  ＬＴＥ／ＬＴＥ−Ａ特有の事項以外は、他の任意の移動通信システムにも適用可能である。
【００４１】
例えば、本発明は、３ＧＰＰ  ＬＴＥ／ＬＴＥ−Ａシステムのように、ｅＮＢがＵＥに下りリンク／上りリンク時間／周波数リソースを割り当て、ＵＥがｅＮＢの割当てによって下りリンク信号を受信し、上りリンク信号を送信する非−競合ベース（ｎｏｎ−ｃｏｎｔｅｎｔｉｏｎ  ｂａｓｅｄ）通信だけでなく、Ｗｉ−Ｆｉのような競合ベース（ｃｏｎｔｅｎｔｉｏｎ  ｂａｓｅｄ）通信にも適用することができる。非−競合ベース通信技法は、接続ポイント（ａｃｃｅｓｓ  ｐｏｉｎｔ、ＡＰ）或いは上記接続ポイントを制御する制御ノード（ｎｏｄｅ）が、ＵＥと上記ＡＰ間の通信のためのリソースを割り当てるが、競合ベース通信技法は、ＡＰに接続しようとする複数ＵＥ間の競合によって通信リソースが占有される。競合ベース通信技法についして簡略に説明すると、競合ベース通信技法の一種として搬送波感知多元接続（ｃａｒｒｉｅｒ  ｓｅｎｓｅ  ｍｕｌｔｉｐｌｅ  ａｃｃｅｓｓ、ＣＳＭＡ）がある。ＣＳＭＡとは、ノード或いは通信器機が周波数帯域（ｂａｎｄ）のような、共有送信媒体（ｓｈａｒｅｄ  ｔｒａｎｓｍｉｓｓｉｏｎ  ｍｅｄｉｕｍ）（共有チャネルともいう。）上でトラフィック（ｔｒａｆｆｉｃ）を送信する前に、同一の共有送信媒体上に他のトラフィックがないことを確認する確率的（ｐｒｏｂａｂｉｌｉｓｔｉｃ）媒体接続制御（ｍｅｄｉａ  ａｃｃｅｓｓ  ｃｏｎｔｒｏｌ、ＭＡＣ）プロトコル（ｐｒｏｔｏｃｏｌ）を指す。ＣＳＭＡにおいて送信装置は受信装置にトラフィックを送信することを試みる前に、他の送信が進行中であるか否か決定する。換言すれば、送信装置は、送信を試みる前に、他の送信装置からの搬送波（ｃａｒｒｉｅｒ）の存在を検出（ｄｅｔｅｃｔ）することを試みる。搬送波が感知されると、送信装置は、自身の送信を開始する前に、進行中の他の送信装置によって送信が完了（ｆｉｎｉｓｈ）することを待つ。結局、ＣＳＭＡは、“ｓｅｎｓｅ  ｂｅｆｏｒｅ  ｔｒａｎｓｍｉｔ”或いは“ｌｉｓｔｅｎ  ｂｅｆｏｒｅ  ｔａｌｋ”の原理に基づいてした通信技法といえる。ＣＳＭＡを用いる競合ベース通信システムにおいて送信装置間の衝突を回避するための技法としてＣＳＭＡ／ＣＤ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ｄｅｔｅｃｔｉｏｎ）及び／又はＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）が用いられる。ＣＳＭＡ／ＣＤは、有線ＬＡＮ環境での衝突検出技法であり、イーサネット（ｅｔｈｅｒｎｅｔ）環境で通信をしようとするＰＣ（Ｐｅｒｓｏｎａｌ  Ｃｏｍｐｕｔｅｒ）やサーバー（ｓｅｒｖｅｒ）がまず、ネットワーク上で通信が行われているか確認した後、他の装置（ｄｅｖｉｃｅ）がデータを上記ネットワーク上で載せて送っていると、待ってからデータを送る。すなわち、２人以上のユーザ（例、ＰＣ、ＵＥなど）が同時にデータを乗せて送る場合、上記同時送信間に衝突が発生するが、ＣＳＭＡ／ＣＤは、上記衝突を監視し、柔軟性あるデータ送信がなされるようにする技法である。ＣＳＭＡ／ＣＤを用いる送信装置は、特定規則を用いて他の送信装置によるデータ送信を感知し、自���のデータ送信を調節する。ＣＳＭＡ／ＣＡは、ＩＥＥＥ８０２．１１標準に明示されている媒体接近制御プロトコルである。ＩＥＥＥ８０２．１１標準に従うＷＬＡＮシステムは、ＩＥＥＥ８０２．３標準で用いられたＣＳＭＡ／ＣＤを用いず、ＣＡ、すなわち、衝突を回避する方式を用いている。送信装置は、常にネットワークの搬送波を感知しているが、ネットワークが空になると、目録に登載された自身の位置によって、定められた時間を待ってからデータを送る。目録内で送信装置間の優先順位を決め、これを再設定（ｒｅｃｏｎｆｉｇｕｒａｔｉｏｎ）するためには様々方法を用いることができる。ＩＥＥＥ８０２．１１標準の一部バージョンに従うシステムでは、衝突が起きることがあり、この場合には衝突感知手順が行われる。ＣＳＭＡ／ＣＡを用いる送信装置は、特定規則を用いて、他の送信装置によるデータ送信と自身のデータ送信間の衝突を回避する。
【００４２】
後述する本発明の実施例において“仮定する”という表現は、チャネルを送信する主体が該当の“仮定”に符合するようにチャネルを送信することを意味する。チャネルを受信する主体は、チャネルが該当“仮定”に符合するように送信されたという前提の下に、該当“仮定”に符合する形態でチャネルを受信或いは復号するものであることを意味する。
【００４３】
本発明において、特定のリソースでチャネルがパンクチャリングされるとは、チャネルのリソースマッピング過程でチャネルの信号が特定のリソースにマッピングされるものの、チャネルの送信時にパンクチャリングされるリソースにマッピングされた信号部分は除外されたまま送信されることを意味する。言い換えれば、パンクチャリングされる特定のリソースは、該当チャネルのリソースマッピング過程で該当チャネルのリソースとしてカウントされるものの、該当チャネルの信号のうち、特定のリソースにマッピングされた信号は実際には送信されない。該当チャネルの受信装置はパンクチャリングされた特定のリソースにマッピングされた信号部分は送信されなかったと仮定し、該当チャネルを受信、復調或いは復号する。反面、特定のリソースでチャネルがレートマッチングされるとは、チャネルのリソースマッピング過程でチャネルが特定のリソースに全くマッピングされないことにより、チャネルの送信に使用されないことを意味する。言い換えれば、レートマッチングされる特定のリソースは、該当チャネルのリソースマッピング過程で該当チャネルのリソースとして全くカウントされない。該当チャネルの受信装置はレートマッチングされた特定のリソースが該当チャネルのマッピング及び送信に全然使用されなかったと仮定して、該当チャネルを受信、復調又は復号する。
【００４４】
本発明において、ＵＥは、固定していても移動性を有してもよく、基地局（ｂａｓｅ  ｓｔａｔｉｏｎ、ＢＳ）と通信してユーザデータ及び／又は各種制御情報を送受信する各種器機がこれに属する。ＵＥは、端末（Ｔｅｒｍｉｎａｌ  Ｅｑｕｉｐｍｅｎｔ）、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅ  Ｓｔａｔｉｏｎ）、無線器機（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯器機（ｈａｎｄｈｅｌｄ  ｄｅｖｉｃｅ）などと呼ぶことができる。また、本発明において、ＢＳは、一般に、ＵＥ及び／又は他のＢＳと通信する固定局（ｆｉｘｅｄ  ｓｔａｔｉｏｎ）のことをいい、ＵＥ及び他のＢＳと通信して各種データ及び制御情報を交換する。ＢＳは、ＡＢＳ（Ａｄｖａｎｃｅｄ  Ｂａｓｅ  Ｓｔａｔｉｏｎ）、ＮＢ（Ｎｏｄｅ−Ｂ）、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、接続ポイント（Ａｃｃｅｓｓ  Ｐｏｉｎｔ）、ＰＳ（Ｐｒｏｃｅｓｓｉｎｇ  Ｓｅｒｖｅｒ）等の他の用語と呼ぶこともできる。ｅＮＢは特にＬＴＥ無線接続技術を支援するＢＳを称する用語であり、ｇＮＢは新しい無線接続技術ネットワーク(ＮＲ)を支援するＢＳを称する用語であるが、以下、本発明の説明ではこれらのＢＳを併せてｅＮＢと呼ぶ。
【００４５】
本発明でいうノード（ｎｏｄｅ）とは、ＵＥと通信して無線信号を送信／受信し得る固定した地点（ｐｏｉｎｔ）のことを指す。様々な形態のｅＮＢを、その名称に関係なくノードとして用いることができる。例えば、ＢＳ、ＮＢ、ｅＮＢ、ピコセルｅＮＢ（ＰｅＮＢ）、ホームｅＮＢ（ＨｅＮＢ）、リレー、リピータなどをノードとすることができる。また、ノードは、ｅＮＢでなくてもよい。例えば、無線リモートヘッド（ｒａｄｉｏ  ｒｅｍｏｔｅ  ｈｅａｄ、ＲＲＨ）、無線リモートユニット（ｒａｄｉｏ  ｒｅｍｏｔｅ  ｕｎｉｔ、ＲＲＵ）とすることもできる。ＲＲＨ、ＲＲＵなどは、一般に、ｅＮＢの電力レベル（ｐｏｗｅｒ  ｌｅｖｅｌ）よりも低い電力レベルを有する。ＲＲＨ或いはＲＲＵ（以下、ＲＲＨ／ＲＲＵ）は、一般に、光ケーブルなどの専用回線（ｄｅｄｉｃａｔｅｄ  ｌｉｎｅ）でｅＮＢに接続されているため、一般に、無線回線で接続されたｅＮＢによる協調通信に比べて、ＲＲＨ／ＲＲＵとｅＮＢによる協調通信を円滑に行うことができる。１つのノードには少なくとも１つのアンテナが設置される。上記アンテナは物理アンテナを意味することもでき、アンテナポート、仮想アンテナ、又はアンテナグループを意味することもできる。ノードは、ポイント（ｐｏｉｎｔ）とも呼ばれる。
【００４６】
本発明でいうセル（ｃｅｌｌ）とは、１つ以上のノードが通信サービスを提供する一定の地理的領域を指す。したがって、本発明で特定セルと通信するということは、上記特定セルに通信サービスを提供するｅＮＢ或いはノードと通信するということを意味できる。また、特定セルの下りリンク／上りリンク信号は、上記特定セルに通信サービスを提供するｅＮＢ或いはノードからの／への下りリンク／上りリンク信号を意味する。ＵＥに上りリンク／下りリンク通信サービスを提供するセルを特にサービングセル（ｓｅｒｖｉｎｇ  ｃｅｌｌ）という。また、特定セルのチャネル状態／品質は、上記特定セルに通信サービスを提供するｅＮＢ或いはノードとＵＥ間に形成されたチャネル或いは通信リンクのチャネル状態／品質を意味する。ＬＴＥ／ＬＴＥ−Ａベースのシステムで、ＵＥは、特定ノードからの下りリンクチャネル状態を、上記特定ノードのアンテナポートが上記特定ノードに割り当てられたＣＲＳ（Ｃｅｌｌ−ｓｐｅｃｉｆｉｃ  Ｒｅｆｅｒｅｎｃｅ  Ｓｉｇｎａｌ）リソース上で送信されるＣＲＳ及び／又はＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）リソース上で送信するＣＳＩ−ＲＳ（上げる）を用いて測定することができる。
【００４７】
一方、３ＧＰＰ  ＬＴＥ／ＬＴＥ−Ａシステムは、無線リソースを管理するためにセル（ｃｅｌｌ）の概念を用いているが、無線リソースと関連付く（ｃｅｌｌ）は、地理的領域のセル（ｃｅｌｌ）と区別される。
【００４８】
地理的領域の“セル”は、ノードが搬送波を用いてサービスを提供できるカバレッジ（ｃｏｖｅｒａｇｅ）と理解することができ、無線リソースの“セル”は、上記搬送波によって設定（ｃｏｎｆｉｇｕｒｅ）される周波数範囲である帯域幅（ｂａｎｄｗｉｄｔｈ、ＢＷ）に関連する。ノードが有効な信号を送信できる範囲である下りリンクカバレッジと、ＵＥから有効な信号を受信できる範囲である上りリンクカバレッジは、当該信号を運ぶ搬送波に依存するので、ノードのカバレッジは、上記ノードが用いる無線リソースの“セル”のカバレッジと関連することもある。したがって、“セル”という用語は、時にはノードによるサービスのカバレッジを、時には無線リソースを、時には上記無線リソースを用いた信号が有効な強度で到達できる範囲を意味することに用いることができる。無線リソースの“セル”ついては以後により詳細に説明される。 
【００４９】
一方、３ＧＰＰ  ＬＴＥ−Ａ標準は無線リソースを管理するためにセル（ｃｅｌｌ）の概念を使う。 無線リソースに関連した“セル”とは下りリンクリソース（ＤＬ  ｒｅｓｏｕｒｃｅｓ）と上りリンクリソース（ＵＬ  ｒｅｓｏｕｒｃｅｓ）の組合せ、つまりＤＬ  ＣＣとＵＬ  ＣＣの組合せと定義される。セルはＤＬリソース単独、又はＤＬリソースとＵＬリソースの組合せに設定される（ｃｏｎｆｉｇｕｒｅｄ）ことができる。搬送波集成が支援される場合、ＤＬリソース（又は、ＤＬ  ＣＣ）の搬送波周波数（ｃａｒｒｉｅｒ  ｆｒｅｑｕｅｎｃｙ）とＵＬリソース（又は、ＵＬ  ＣＣ）の搬送波周波数（ｃａｒｒｉｅｒ  ｆｒｅｑｕｅｎｃｙ）の間のリンケージ（ｌｉｎｋａｇｅ）はシステム情報によって指示されることができる。例えば、システム情報ブロックタイプ２（Ｓｙｓｔｅｍ  Ｉｎｆｏｒｍａｔｉｏｎ  Ｂｌｏｃｋ  Ｔｙｐｅ２、ＳＩＢ２）リンケージ（ｌｉｎｋａｇｅ）によってＤＬリソースとＵＬリソースの組合せが指示されることができる。ここで、搬送波周波数とは各セル又はＣＣの中心周波数（ｃｅｎｔｅｒ  ｆｒｅｑｕｅｎｃｙ）を意味する。以下では、１次周波数（ｐｒｉｍａｒｙ  ｆｒｅｑｕｅｎｃｙ）上で動作するセルを１次セル（ｐｒｉｍａｒｙ  ｃｅｌｌ、Ｐｃｅｌｌ）又はＰＣＣと言い、２次周波数（Ｓｅｃｏｎｄａｒｙ  ｆｒｅｑｕｅｎｃｙ）（又はＳＣＣ）上で動作するセルを２次セル（ｓｅｃｏｎｄａｒｙ  ｃｅｌｌ、Ｓｃｅｌｌ）又はＳＣＣと言う。下りリンクでＰｃｅｌｌに対応する搬送波は下りリンク１次ＣＣ（ＤＬ  ＰＣＣ）と言い、上りリンクでＰｃｅｌｌに対応する搬送波はＵＬ１次ＣＣ（ＤＬ  ＰＣＣ）と言う。ＳｃｅｌｌとはＲＲＣ（Ｒａｄｉｏ  Ｒｅｓｏｕｒｃｅ  Ｃｏｎｔｒｏｌ）連結開設（ｃｏｎｎｅｃｔｉｏｎ  ｅｓｔａｂｌｉｓｈｍｅｎｔ）がなされた後に設定可能であり、追加的な無線リソースを提供するために使われることができるセルを意味する。ＵＥの性能（ｃａｐａｂｉｌｉｔｉｅｓ）によって、ＳｃｅｌｌがＰｃｅｌｌと一緒に、前記ＵＥのためのサービングセルの集団（ｓｅｔ）を形成することができる。下りリンクでＳｃｅｌｌに対応する搬送波はＤＬ２次ＣＣ（ＤＬ  ＳＣＣ）と言い、上りリンクで前記Ｓｃｅｌｌに対応する搬送波はＵＬ２次ＣＣ（ＵＬＳＣＣ）と言う。ＲＲＣ＿ＣＯＮＮＥＣＴＥＤ状態にあるが、搬送波集成が設定されていないか搬送波集成を支援しないＵＥの場合、Ｐｃｅｌｌにだけ設定されたサービングセルがただ一つ存在する。
【００５０】
３ＧＰＰ  ＬＴＥ／ＬＴＥ−Ａ標準は、上位層から生じる情報を運ぶリソース要素に対応する下りリンク物理チャネルと、物理層によって用いられるが、上位層から生じる情報を搬送しないリソース要素に対応する下りリンク物理信号を定義する。例えば、物理下りリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）、物理ブロードキャストチャネル（ｐｈｙｓｉｃａｌ  ｂｒｏａｄｃａｓｔ  ｃｈａｎｎｅｌ、ＰＢＣＨ）、物理マルチキャストチャネル（ｐｈｙｓｉｃａｌ  ｍｕｌｔｉｃａｓｔ  ｃｈａｎｎｅｌ、ＰＭＣＨ）、物理制御フォーマット指示子チャネル（ｐｈｙｓｉｃａｌ  ｃｏｎｔｒｏｌ  ｆｏｒｍａｔ  ｉｎｄｉｃａｔｏｒ  ｃｈａｎｎｅｌ、ＰＣＦＩＣＨ）、物理下りリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）及び物理ハイブリッドＡＲＱ指示子チャネル（ｐｈｙｓｉｃａｌ  ｈｙｂｒｉｄ  ＡＲＱ  ｉｎｄｉｃａｔｏｒ  ｃｈａｎｎｅｌ、ＰＨＩＣＨ）が下りリンク物理チャネルとして定義されており、参照信号と同期信号が下りリンク物理信号として定義されている。パイロット（ｐｉｌｏｔ）とも呼ばれる参照信号（ｒｅｆｅｒｅｎｃｅ  ｓｉｇｎａｌ、ＲＳ）は、ｅＮＢとＵＥが互いに知っている既に定義された特別な波形の信号を意味するが、例えば、セル特定的ＲＳ（ｃｅｌｌ  ｓｐｅｃｉｆｉｃ  ＲＳ）、ＵＥ−特定的ＲＳ（ＵＥ−ｓｐｅｃｉｆｉｃ  ＲＳ、ＵＥ−ＲＳ）、ポジショニングＲＳ（ｐｏｓｉｔｉｏｎｉｎｇ  ＲＳ、ＰＲＳ）及びチャネル状態情報ＲＳ（ｃｈａｎｎｅｌ  ｓｔａｔｅ  ｉｎｆｏｒｍａｔｉｏｎ  ＲＳ、ＣＳＩ−ＲＳ）が下りリンク参照信号として定義される。３ＧＰＰ  ＬＴＥ／ＬＴＥ−Ａ標準は、上位層から生じる情報を搬送するリソース要素に対応する上りリンク物理チャネルと、物理層によって用いられるが、上位層から生じる情報を搬送しないリソース要素に対応する上りリンク物理信号を定義している。例えば、物理上りリンク共有チャネル（ｐｈｙｓｉｃａｌ  ｕｐｌｉｎｋ  ｓｈａｒｅｄ  ｃｈａｎｎｅｌ、ＰＵＳＣＨ）、物理上りリンク制御チャネル（ｐｈｙｓｉｃａｌ  ｕｐｌｉｎｋ  ｃｏｎｔｒｏｌ  ｃｈａｎｎｅｌ、ＰＵＣＣＨ）、物理任意接続チャネル（ｐｈｙｓｉｃａｌ  ｒａｎｄｏｍ  ａｃｃｅｓｓ  ｃｈａｎｎｅｌ、ＰＲＡＣＨ）が上りリンク物理チャネルとして定義され、上りリンク制御／データ信号のための復調参照信号（ｄｅｍｏｄｕｌａｔｉｏｎ  ｒｅｆｅｒｅｎｃｅ  ｓｉｇｎａｌ、ＤＭＲＳ）と上りリンクチャネル測定に用いられるサウンディング参照信号（ｓｏｕｎｄｉｎｇ  ｒｅｆｅｒｅｎｃｅ  ｓｉｇｎａｌ、ＳＲＳ）が定義される。
【００５１】
本発明で、ＰＤＣＣＨ（Ｐｈｙｓｉｃａｌ  Ｄｏｗｎｌｉｎｋ  Ｃｏｎｔｒｏｌ  ＣＨａｎｎｅｌ）／ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）／ＰＨＩＣＨ（（Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ）／ＰＤＳＣＨ（Ｐｈｙｓｉｃａｌ  Ｄｏｗｎｌｉｎｋ  Ｓｈａｒｅｄ  Ｃｈａｎｎｅｌ）はそれぞれ、ＤＣＩ（Ｄｏｗｎｌｉｎｋ  Ｃｏｎｔｒｏｌ  Ｉｎｆｏｒｍａｔｉｏｎ）／ＣＦＩ（Ｃｏｎｔｒｏｌ  Ｆｏｒｍａｔ  Ｉｎｄｉｃａｔｏｒ）／下りリンクＡＣＫ／ＮＡＣＫ（ＡＣＫｎｏｗｌｅｇｅｍｅｎｔ／Ｎｅｇａｔｉｖｅ  ＡＣＫ）／下りリンクデータを搬送する時間−周波数リソースの集合或いはリソース要素の集合を意味する。また、ＰＵＣＣＨ（Ｐｈｙｓｉｃａｌ  Ｕｐｌｉｎｋ  Ｃｏｎｔｒｏｌ  ＣＨａｎｎｅｌ）／ＰＵＳＣＨ（Ｐｈｙｓｉｃａｌ  Ｕｐｌｉｎｋ  Ｓｈａｒｅｄ  ＣＨａｎｎｅｌ）／ＰＲＡＣＨ（Ｐｈｙｓｉｃａｌ  Ｒａｎｄｏｍ  Ａｃｃｅｓｓ  ＣＨａｎｎｅｌ）はそれぞれ、ＵＣＩ（Ｕｐｌｉｎｋ  Ｃｏｎｔｒｏｌ  Ｉｎｆｏｒｍａｔｉｏｎ）／上りリンクデータ／任意接続信号を搬送する時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、これに属した時間−周波数リソース或いはリソース要素（ｒｅｓｏｕｒｃｅ  ｅｌｅｍｅｎｔ、ＲＥ）をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ  ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと称する。以下では、ＵＥがＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で／或いはを通じて、上りリンク制御情報／上りリンクデータ／任意接続信号を送信することと同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で／或いはを通じて、下りリンクデータ／制御情報を送信することと同じ意味で使われる。
【００５２】
以下では、ＣＲＳ／ＤＭＲＳ／ＣＳＩ−ＲＳ／ＳＲＳ／ＵＥ−ＲＳ／ＴＲＳが割り当てられた或いは設定された（ｃｏｎｆｉｇｕｒｅｄ）ＯＦＤＭシンボル／副搬送波／ＲＥを、ＣＲＳ／ＤＭＲＳ／ＣＳＩ−ＲＳ／ＳＲＳ／ＵＥ−ＲＳ／ＴＲＳシンボル／搬送波／副搬送波／ＲＥと称する。例えば、トラッキングＲＳ（ｔｒａｃｋｉｎｇ  ＲＳ、ＴＲＳ）が割り当てられた或いは設定されたＯＦＤＭシンボルは、ＴＲＳシンボルと称し、ＴＲＳが割り当てられた或いは設定された副搬送波は、ＴＲＳ副搬送波と称し、ＴＲＳが割り当てられた或いは設定されたＲＥはＴＲＳ  ＲＥと称する。また、ＴＲＳ送信のために設定された（ｃｏｎｆｉｇｕｒｅｄ）サブフレームを、ＴＲＳサブフレームと称する。また、ブロードキャスト信号が送信されるサブフレームを、ブロードキャストサブフレーム或いはＰＢＣＨサブフレームと称し、同期信号（例えば、ＰＳＳ及び／又はＳＳＳ）が送信されるサブフレームを、同期信号サブフレーム或いはＰＳＳ／ＳＳＳサブフレームと称する。ＰＳＳ／ＳＳＳが割り当てられた或いは設定された（ｃｏｎｆｉｇｕｒｅｄ）ＯＦＤＭシンボル／副搬送波／ＲＥをそれぞれ、ＰＳＳ／ＳＳＳシンボル／副搬送波／ＲＥと称する。
【００５３】
本発明で、ＣＲＳポート、UE-ＲＳポート、ＣＳＩ−ＲＳポート、ＴＲＳポートとは、それぞれ、ＣＲＳを送信するように設定された（ｃｏｎｆｉｇｕｒｅｄ）アンテナポート、ＵＥ−ＲＳを送信するように設定されたアンテナポート、ＣＳＩ−ＲＳを送信するように設定されたアンテナポート、ＴＲＳを送信するように設定されたアンテナポートを意味する。ＣＲＳを送信するように設定されたアンテナポートは、ＣＲＳポートによってＣＲＳが占有するＲＥの位置によって相互区別でき、ＵＥ−ＲＳを送信するように設定された（ｃｏｎｆｉｇｕｒｅｄ）アンテナポートは、ＵＥ−ＲＳポートによってＵＥ−ＲＳが占有するＲＥの位置によって相互区別でき、ＣＳＩ−ＲＳを送信するように設定されたアンテナポートは、ＣＳＩ−ＲＳポートによってＣＳＩ−ＲＳが占有するＲＥの位置によって相互区別できる。したがって、ＣＲＳ／ＵＥ−ＲＳ／ＣＳＩ−ＲＳ／ＴＲＳポートという用語が、一定リソース領域（例、ＲＢ或いはＲＢ対）内でＣＲＳ／ＵＥ−ＲＳ／ＣＳＩ−ＲＳ／ＴＲＳが占有するＲＥのパターンを意味する用語として用いられることもある。
【００５４】
本発明で使われる用語及び技術のうち具体的に説明しなかった用語及び技術については３ＧＰＰ  ＬＴＥ／ＬＴＥ−Ａ標準文書、例えば３ＧＰＰ  ＴＳ  ３６．２１１、３ＧＰＰ  ＴＳ  ３６．２１２、３ＧＰＰ  ＴＳ  ３６．２１３、３ＧＰＰ  ＴＳ  ３６．３２１及び３ＧＰＰ  ＴＳ  ３６．３３１などを参照することができる。
【００５５】
図１はＬＴＥ／ＬＴＥ−Ａ基盤の無線通信システムにおいて使用される無線フレーム構造の一例を示す図である。
【００５６】
特に、図１（ａ）は、３ＧＰＰ  ＬＴＥ／ＬＴＥ−Ａシステムで用いられる周波数分割デュプレックス（ｆｒｅｑｕｅｎｃｙ  ｄｉｖｉｓｉｏｎ  ｄｕｐｌｅｘ、ＦＤＤ）用フレーム構造を示す図であり、図１（ｂ）は、３ＧＰＰ  ＬＴＥ／ＬＴＥ−Ａシステムで用いられる時分割デュプレックス（ｔｉｍｅ  ｄｉｖｉｓｉｏｎ  ｄｕｐｌｅｘ、ＴＤＤ）用フレーム構造を示す図である。
【００５７】
図１を参照すると、３ＧＰＰ  ＬＴＥ／ＬＴＥ−Ａシステムで用いられる無線フレームは、１０ｍｓ（３０７，２００Ｔｓ）の長さを有し、１０個の均等なサイズのサブフレーム（ｓｕｂｆｒａｍｅ、ＳＦ）で構成される。１無線フレーム内の１０個のサブフレームにはそれぞれ番号を与えることができる。ここで、Ｔｓは、サンプリング時間を表し、Ｔｓ＝１／（２０４８・１５ｋＨｚ）で表示される。それぞれのサブフレームは１ｍｓの長さを有し、２個のスロットで構成される。１無線フレームにおいて２０個のスロットには０から１９まで順次に番号を付けることができる。それぞれのスロットは、０．５ｍｓの長さを有する。１サブフレームを送信するための時間は、送信時間間隔（ｔｒａｎｓｍｉｓｓｉｏｎ  ｔｉｍｅ  ｉｎｔｅｒｖａｌ、ＴＴＩ）と定義される。時間リソースは、無線フレーム番号（或いは、無線フレームであるデックスとも咸）、サブフレーム番号（或いは、サブフレーム番号）、スロット番号（或いは、スロットインデックス）などによって区分することができる。
【００５８】
ＴＴＩとは、データがスケジューリング可能な間隔を意味する。例えば、現在のＬＴＥ／ＬＴＥ−Ａシステムにおいて、ＵＬグラント或いはＤＬグラントの送信機会は１ｍｓごとに存在し、１ｍｓより短い時間内にＵＬ／ＤＬグラントの機会が複数回存在することではない。従って、現在のＬＴＥ／ＬＴＥ−ＡシステムにおいてＴＴＩは１ｍｓである。
【００５９】
無線フレームは、デュプレックス（ｄｕｐｌｅｘ）モードによって異なるように設定（ｃｏｎｆｉｇｕｒｅ）することができる。例えば、ＦＤＤモードで、下りリンク送信及び上りリンク送信は周波数によって区分されるため、無線フレームは、特定周波数帯域に対して下りリンクサブフレーム又は上りリンクサブフレームのいずれか１つのみを含む。ＴＤＤモードで、下りリンク送信及び上りリンク送信は、時間によって区分されるため、特定周波数帯域に対して無線フレームは下りリンクサブフレームと上りリンクサブフレームの両方を含む。
【００６０】
図２はＬＴＥ／ＬＴＥ−Ａ基盤の無線通信システムにおいて下りリンク(ｄｏｗｎｌｉｎｋ，ＤＬ)／上りリンク(ｕｐｌｉｎｋ，ＵＬ)スロット構造の一例を示す図である
【００６１】
図２を参照すると、スロットは、時間ドメイン（ｔｉｍｅ  ｄｏｍａｉｎ）で複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数ドメイン（ｆｒｅｑｕｅｎｃｙ  ｄｏｍａｉｎ）で複数のリソースブロック（ｒｅｓｏｕｒｃｅ  ｂｌｏｃｋ、ＲＢ）を含む。ＯＦＤＭシンボルは、１シンボル区間を意味してもよい。図２を参照すると、各スロットで送信される信号はＮＤＬ／ＵＬＲＢ×ＮＲＢｓｃ個の副搬送波（ｓｕｂｃａｒｒｉｅｒ）とＮＤＬ／ＵＬｓｙｍｂ個のＯＦＤＭシンボルとで構成されるリソース格子（ｒｅｓｏｕｒｃｅ  ｇｒｉｄ）で表現されることができる。ここで、ＮＤＬＲＢは、下りリンクスロットにおけるリソースブロック（ｒｅｓｏｕｒｃｅ  ｂｌｏｃｋ、ＲＢ）の個数を表し、ＮＵＬＲＢは、ＵＬスロットにおけるＲＢの個数を表す。ＮＤＬＲＢとＮＵＬＲＢは、ＤＬ送信帯域幅とＵＬ送信帯域幅にそれぞれ依存する。ＮＤＬｓｙｍｂは、下りリンクスロットにおけるＯＦＤＭシンボルの個数を表し、ＮＵＬｓｙｍｂは、ＵＬスロットにおけるＯＦＤＭシンボルの個数を表す。ＮＲＢｓｃは、１ ＲＢを構成する副搬送波の個数を表す。
【００６２】
ＯＦＤＭシンボルは、多元接続方式によって、ＯＦＤＭシンボル、ＳＣ−ＦＤＭ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ）シンボルなどと呼ぶことができる。１スロットに含まれるＯＦＤＭシンボルの数は、チャネル帯域幅、ＣＰ（ｃｙｃｌｉｃ  ｐｒｅｆｉｘ）の長さによって様々に変更することができる。例えば、正規（ｎｏｒｍａｌ）ＣＰの場合には、１スロットが７  ＯＦＤＭシンボルを含むが、拡張（ｅｘｔｅｎｄｅｄ）ＣＰの場合には、１スロットが６  ＯＦＤＭシンボルを含む。図２では、説明の便宜のために、１スロットが７  ＯＦＤＭシンボルで構成されるサブフレームを例示するが、本発明の実施例は、他の個数のＯＦＤＭシンボルを有するサブフレームにも同様の方式で適用することができる。図２を参照すると、各ＯＦＤＭシンボルは、周波数ドメインで、ＮＤＬ／ＵＬＲＢ×ＮＲＢｓｃ個の副搬送波を含む。副搬送波の類型としては、データ送信のためのデータ副搬送波、参照信号（ｒｅｆｅｒｅｎｃｅ  ｓｉｇｎａｌ）の送信のための参照信号副搬送波、保護バンド（ｇｕａｒｄ  ｂａｎｄ）又は直流（Ｄｉｒｅｃｔ  Ｃｕｒｒｅｎｔ、ＤＣ）成分のためのヌル（ｎｕｌｌ）副搬送波を含むことができる。ＤＣ成分は、ＯＦＤＭ信号生成過程或いは周波数アップコンバート過程で搬送波周波数（ｃａｒｒｉｅｒ  ｆｒｅｑｕｅｎｃｙ、ｆ０）にマップ（ｍａｐｐｉｎｇ）される。搬送波周波数は、中心周波数（ｃｅｎｔｅｒ  ｆｒｅｑｕｅｎｃｙ、ｆｃ）とも呼ぶ。
【００６３】
図３はＬＴＥ／ＬＴＥ−Ａ基盤の無線通信システムにおいて使用される下りリンク(ｄｏｗｎｌｉｎｋ，ＤＬ)のサブフレームの構造を例示する図である。
【００６４】
図３を参照すると、ＤＬサブフレームは、時間ドメインで制御領域（ｃｏｎｔｒｏｌ  ｒｅｇｉｏｎ）とデータ領域（ｄａｔａ  ｒｅｇｉｏｎ）とに区別される。図３を参照すると、サブフレームの第１のスロットで前部に位置した最大３（或いは、４）個のＯＦＤＭシンボルは、制御チャネルが割り当てられる制御領域（ｃｏｎｔｒｏｌ  ｒｅｇｉｏｎ）に対応する。以下、ＤＬサブフレームでＰＤＣＣＨ送信に利用可能なリソース領域（ｒｅｓｏｕｒｃｅ  ｒｅｇｉｏｎ）をＰＤＣＣＨ領域と称する。制御領域として用いられるＯＦＤＭシンボル以外の残りのＯＦＤＭシンボルは、ＰＤＳＣＨ（Ｐｈｙｓｉｃａｌ  Ｄｏｗｎｌｉｎｋ  Ｓｈａｒｅｄ  ＣＨａｎｎｅｌ）が割り当てられるデータ領域（ｄａｔａ  ｒｅｇｉｏｎ）に該当する。以下、ＤＬサブフレームでＰＤＳＣＨ送信に利用可能なリソース領域をＰＤＳＣＨ領域と称する。
【００６５】
３ＧＰＰ  ＬＴＥで用いられるＤＬ制御チャネルの例としては、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などを含む。 
【００６６】
ＰＤＣＣＨで送信される制御情報を下りリンク制御情報（ｄｏｗｎｌｉｎｋ  ｃｏｎｔｒｏｌ  ｉｎｆｏｒｍａｔｉｏｎ、ＤＣＩ）と称する。ＤＣＩは、ＵＥ又はＵＥグループのためのリソース割当て情報及び他の制御情報を含む。ＤＬ共有チャネル（ｄｏｗｎｌｉｎｋ  ｓｈａｒｅｄ  ｃｈａｎｎｅｌ、ＤＬ−ＳＣＨ）の送信フォーマット（Ｔｒａｎｓｍｉｔ  Ｆｏｒｍａｔ）及びリソース割当て情報は、ＤＬスケジューリング情報或いはＤＬグラント（ＤＬ  ｇｒａｎｔ）とも呼ばれ、ＵＬ共有チャネル（ｕｐｌｉｎｋ  ｓｈａｒｅｄ  ｃｈａｎｎｅｌ、ＵＬ−ＳＣＨ）の送信フォーマット及びリソース割当て情報は、ＵＬスケジューリング情報或いはＵＬグラント（ＵＬ  ｇｒａｎｔ）とも呼ばれる。１  ＰＤＣＣＨが搬送するＤＣＩは、ＤＣＩフォーマットによってそのサイズと用途が異なり、コーディングレートによってそのサイズが異なりうる。現在３ＧＰＰ  ＬＴＥシステムでは、上りリンク用にフォーマット０及び４、下りリンク用にフォーマット１、１Ａ、１Ｂ、１Ｃ、１Ｄ、２、２Ａ、２Ｂ、２Ｃ、３、３Ａなどの多様なフォーマットが定義されている。ＤＣＩフォーマットのそれぞれの用途に合わせて、ホッピングフラグ、ＲＢ割当て（ＲＢ  ａｌｌｏｃａｔｉｏｎ）、ＭＣＳ（ｍｏｄｕｌａｔｉｏｎ  ｃｏｄｉｎｇ  ｓｃｈｅｍｅ）、ＲＶ（ｒｅｄｕｎｄａｎｃｙ  ｖｅｒｓｉｏｎ）、ＮＤＩ（ｎｅｗ  ｄａｔａ  ｉｎｄｉｃａｔｏｒ）、ＴＰＣ（ｔｒａｎｓｍｉｔ  ｐｏｗｅｒ  ｃｏｎｔｒｏｌ）、循環遷移ＤＭＲＳ（ｃｙｃｌｉｃ  ｓｈｉｆｔ  ｄｅｍｏｄｕｌａｔｉｏｎ  ｒｅｆｅｒｅｎｃｅ  ｓｉｇｎａｌ）、ＵＬインデックス、ＣＱＩ（ｃｈａｎｎｅｌ  ｑｕａｌｉｔｙ  ｉｎｆｏｒｍａｔｉｏｎ）要請、ＤＬ割当てインデックス（ＤＬ  ａｓｓｉｇｎｍｅｎｔ  ｉｎｄｅｘ）、ＨＡＲＱプロセス番号（或いは、インデックス）、ＴＰＭＩ（ｔｒａｎｓｍｉｔｔｅｄ  ｐｒｅｃｏｄｉｎｇ  ｍａｔｒｉｘ  ｉｎｄｉｃａｔｏｒ）、ＰＭＩ（ｐｒｅｃｏｄｉｎｇ  ｍａｔｒｉｘ  ｉｎｄｉｃａｔｏｒ）情報などの制御情報が適宜選択された組合せが下りリンク制御情報としてＵＥに送信される。
【００６７】
複数のＰＤＣＣＨを制御領域内で送信することができる。ＵＥは、複数のＰＤＣＣＨをモニタすることができる。ｅＮＢは、ＵＥに送信されるＤＣＩによってＤＣＩフォーマットを決定し、ＤＣＩにＣＲＣ（ｃｙｃｌｉｃ  ｒｅｄｕｎｄａｎｃｙ  ｃｈｅｃｋ）を付加する。ＣＲＣは、ＰＤＣＣＨの所有者又は使用目的によって識別子（例、ＲＮＴＩ（ｒａｄｉｏ  ｎｅｔｗｏｒｋ  ｔｅｍｐｏｒａｒｙ  ｉｄｅｎｔｉｆｉｅｒ））でマスク（又は、スクランブル）される。例えば、ＰＤＣＣＨが特定ＵＥのためのものであれば、当該ＵＥの識別子（例、ｃｅｌｌ−ＲＮＴＩ（Ｃ−ＲＮＴＩ））をＣＲＣにマスクすることができる。ＰＤＣＣＨがページングメッセージのためのものであれば、ページング識別子（例、ｐａｇｉｎｇ−ＲＮＴＩ（Ｐ−ＲＮＴＩ））をＣＲＣにマスクすることができる。ＰＤＣＣＨがシステム情報（より具体的に、システム情報ブロック（ｓｙｓｔｅｍ  ｉｎｆｏｒｍａｔｉｏｎ  ｂｌｏｃｋ、ＳＩＢ））のためのものであれば、ＳＩ−ＲＮＴＩ（ｓｙｓｔｅｍ  ｉｎｆｏｒｍａｔｉｏｎ  ＲＮＴＩ）をＣＲＣにマスクすることができる。ＰＤＣＣＨが任意接続応答のためのものであれば、ＲＡ−ＲＮＴＩ（ｒａｎｄｏｍ  ａｃｃｅｓｓ−ＲＮＴＩ）をＣＲＣにマスクすることができる。ＣＲＣマスク（又は、スクランブル）は、例えば、ビットレベルでＣＲＣとＲＮＴＩをＸＯＲ演算することを含む。
【００６８】
一般に、ＵＥに設定された（ｃｏｎｆｉｇｕｒｅｄ）送信モード（ｔｒａｎｓｍｉｓｓｉｏｎ  ｍｏｄｅ、ＴＭ）によって前記ＵＥに送信可能なＤＣＩフォーマットが変わる。言い換えれば、特定の送信モードに設定されたＵＥのためには全てのＤＣＩフォーマットを使うことができるものではなく、前記特定の送信モードに対応する一定のＤＣＩフォーマット（等）のみを使うことができる。
【００６９】
ＰＤＣＣＨはサブフレーム内の最初ｍ個のＯＦＤＭシンボル（等）に割り当てられる。ここで、ｍは１以上の整数であり、ＰＣＦＩＣＨによって指示される。 
【００７０】
ＰＣＦＩＣＨはＰＨＣＣＨにより運ばれるＤＣＩがスパン(ｓｐａｎ)するＯＦＤＭシンボルの個数に関する情報を搬送する。ＰＣＦＩＣＨは、サブフレームの最初のＯＦＤＭシンボルで送信され、サブフレーム内で制御チャネルの送信に用いられるＯＦＤＭシンボルの個数についての情報を搬送する。ＰＣＦＩＣＨはサブフレームごとに該当サブフレームで使われるＯＦＤＭシンボルの個数をＵＥに知らせる。ＰＣＦＩＣＨは一番目ＯＦＤＭシンボルに位置する。ＰＣＦＩＣＨは４個のリソース要素グループ（ｒｅｓｏｕｒｃｅ  ｅｌｅｍｅｎｔ  ｇｒｏｕｐ、ＲＥＧ）で構成され、それぞれのＲＥＧはセルＩＤに基づいて制御領域内に分散される。一つのＲＥＧは４個のＲＥで構成される。
【００７１】
ＰＤＣＣＨは、１つ又は複数の連続した制御チャネル要素（ｃｏｎｔｒｏｌ  ｃｈａｎｎｅｌ  ｅｌｅｍｅｎｔ、ＣＣＥ）の集約（ａｇｇｒｅｇａｔｉｏｎ）上で送信される。ＣＣＥは、ＰＤＣＣＨに無線チャネル状態に基づくコーディングレートを提供するために用いる論理的割当てユニットである。ＣＣＥは、複数のリソース要素グループ（ｒｅｓｏｕｒｃｅ  ｅｌｅｍｅｎｔ  ｇｒｏｕｐ、ＲＥＧ）に対応する。例えば、各々のＣＣＥは９個のＲＥＧを含むが、９個のＲＥＧは多様性のために干渉を緩和する必要がある。よって、インターリービングにより最初の１／２／３個(１.４ＭＨｚのために必要であれば４個)のＯＦＤＭシンボル及びシステム帯域幅にかけて分散されている。１ＲＥＧは４ＲＥに対応する。４個のＱＰＳＫシンボルがそれぞれのＲＥＧにマップされる。参照信号（ＲＳ）によって占有されたリソース要素（ＲＥ）は、ＲＥＧに含まれない。したがって、与えられたＯＦＤＭシンボル内でＲＥＧの個数は、ＲＳが存在するか否かによって異なってくる。ＲＥＧ概念は、他の下りリンク制御チャネル（すなわち、ＰＣＦＩＣＨ及びＰＨＩＣＨ）にも用いられる。
【００７２】
システムでＰＤＣＣＨ送信のために利用可能なＣＣＥは０からＮＣＣＥ−１まで番号が付けられることができ、ここで、ＮＣＣＥ＝ｆｌｏｏｒ（ＮＲＥＧ／９）であり、ＮＲＥＧはＰＣＦＩＣＨ又はＰＨＩＣＨに割り当てられなかったＲＥＧの個数を示す。n個の連続した(ｃｏｎｓｅｃｕｔｉｖｅ)ＣＣＥからなるＰＤＣＣＨは“i mod n = 0”を満たすＣＣＥでのみ開始可能であり、ここでiはＣＣＥの番号である。
【００７３】
ＤＣＩフォーマット及びＤＣＩビットの個数はＣＣＥの個数によって決定される。ＣＣＥは番号が付けられて連続的に使われ、復号過程を簡単にするために、ｎ個のＣＣＥで構成されたフォーマットを有するＰＤＣＣＨはｎの倍数に相当する番号を有するＣＣＥでだけ始まることができる。特定のＰＤＣＣＨの送信に使われるＣＣＥの個数はチャネル状態によってネットワーク又はｅＮＢによって決定される。例えば、良い下りリンクチャネルを有するＵＥ（例えば、ｅＮＢに隣接）のためのＰＤＣＣＨの場合、一つのＣＣＥでも十分であり得る。しかし、劣悪なチャネルを有するＵＥ（例えば、セル境界の付近に存在）のためのＰＤＣＣＨの場合、十分な強健性（ｒｏｂｕｓｔｎｅｓｓ）を得るためには８個のＣＣＥが要求されることができる。また、ＰＤＣＣＨのパワーレベルはチャネル状態に合わせて調整されることができる。
【００７４】
３ＧＰＰ  ＬＴＥ／ＬＴＥ−Ａシステムの場合、それぞれのＵＥのためにＰＤＣＣＨが位置することができるＣＣＥの集まり（ｓｅｔ）が定義される。ＵＥが自らのＰＤＣＣＨを見つけることができるＣＣＥの集まりをＰＤＣＣＨ探索空間、簡単に探索空間（Ｓｅａｒｃｈ  Ｓｐａｃｅ、ＳＳ）と言う。探索空間内でＰＤＣＣＨが送信されることができる個別リソースをＰＤＣＣＨ候補（ｃａｎｄｉｄａｔｅ）と言う。ＵＥがモニタリングする際、ＰＤＣＣＨ候補の集まりは探索空間と定義される。探索空間は他のサイズを有することができ、専用（ｄｅｄｉｃａｔｅｄ）探索空間と共通（ｃｏｍｍｏｎ）探索空間が定義されている。専用探索空間はＵＥ特定的探索空間（ＵＥ−ｓｐｅｃｉｆｉｃ  ｓｅａｒｃｈ  ｓｐａｃｅ、ＵＳＳ）であり、それぞれの個別ＵＥのために設定される（ｃｏｎｆｉｇｕｒｅｄ）。共通探索空間（ｃｏｍｍｏｎ  ｓｅａｒｃｈ  ｓｐａｃｅ、ＣＳＳ）は複数のＵＥのために設定される。
【００７５】
ＵＥがモニタリングすべき複数のＤＣＩフォーマットは各々、サービングセル当たりに設定された送信モードに依存するｅＮＢは探索空間内の任意のＰＤＣＣＨ候補上で実際ＰＤＣＣＨ（ＤＣＩ）を送信し、ＵＥはＰＤＣＣＨ（ＤＣＩ）を捜すために探索空間をモニタリングする。ここで、モニタリングとは、ＵＥがモニタリングすべきＤＣＩフォーマットに従って該当探索空間内の各々のＰＤＣＣＨ候補の復号を図ることを意味する。ＵＥは前記複数のＰＤＣＣＨをモニタリングして自らのＰＤＣＣＨを検出することができる。基本的に、ＵＥは自らのＰＤＣＣＨが送信される位置が分からないから、サブフレームごとに該当ＤＣＩフォーマットの全てのＰＤＣＣＨを自らの識別子を有するＰＤＣＣＨを検出するまでＰＤＣＣＨの復号を試み、このような過程をブラインド検出（ｂｌｉｎｄ  ｄｅｔｅｃｔｉｏｎ）（ブラインド復号（ｂｌｉｎｄ  ｄｅｃｏｄｉｎｇ、ＢＤ））と言う。
【００７６】
例えば、特定のＰＤＣＣＨが“Ａ”というＲＮＴＩ(Ｒａｄｉｏ  Ｎｅｔｗｏｒｋ  Ｔｅｍｐｏｒａｒｙ  Ｉｄｅｎｔｉｔｙ)にＣＲＣ(Ｃｙｃｌｉｃ  Ｒｅｄｕｎｄａｎｃｙ  Ｃｈｅｃｋ)マスキングされており、“Ｂ”という無線リソース(例えば、周波数位置)及び“Ｃ”という送信形式情報(例えば、輸送ブロックサイズ、変調方式、コーディング情報など)を用いて送信されるデータに関する情報が特定のＤＬサブフレームを介して送信されると仮定する。ＵＥは自分が持っているＲＮＴＩ情報を用いてＰＤＣＣＨをモニタリングし、“Ａ”というＲＮＴＩを持っているＵＥはＰＤＣＣＨを検出し、受信したＰＤＣＣＨの情報によって“Ｂ”と“Ｃ”によって指示されるＰＤＳＣＨを受信する。
【００７７】
サブフレーム内においてＵＥが無限大にブラインド復号／検出(ブラインド復号／ｄｅｔｅｃｔｉｏｎ，ＢＤ)を行うことができないので、サブフレームごとにＵＥが行えるＢＤの回数が定義される。ＵＥ−特定的ＤＣＩを運ぶＰＤＣＣＨ候補からなるＵＥ−特定的探索空間(ＵＥ−ｓｐｅｃｉｆｉｃ  ｓｅａｒｃｈ  ｓｐａｃｅ，ＵＳＳ)でＵＥがモニタリングすべきＰＤＣＣＨ候補の個数はＡＬ＝１で６つ、ＡＬ＝２で６つ、ＡＬ＝４で２つ及びＡＬ＝８で２つの総１６個であり、共通ＤＣＩを運ぶＰＤＣＣＨ候補からなる共通探索空間(ｃｏｍｍｏｎ  ｓｅａｒｃｈ  ｓｐａｃｅ，ＣＳＳ)でＵＥがモニタリングすべきＰＤＣＣＨ候補の個数はＡＬ＝４で４つ及びＡＬ＝８で２つの総６個である。
【００７８】
図４はＬＴＥ／ＬＴＥ−Ａ基盤の無線通信システムにおいて使用される上りリンク(ｕｐｌｉｎｋ，ＵＬ)のサブフレームの構造を例示する図である。
【００７９】
図４を参照すると、ＵＬサブフレームは、周波数ドメインで制御領域とデータ領域とに区別できる。１つ又は複数のＰＵＣＣＨ（ｐｈｙｓｉｃａｌ  ｕｐｌｉｎｋ  ｃｏｎｔｒｏｌ  ｃｈａｎｎｅｌ）を上りリンク制御情報（ｕｐｌｉｎｋ  ｃｏｎｔｒｏｌ  ｉｎｆｏｒｍａｔｉｏｎ、ＵＣＩ）を搬送するために上記制御領域に割り当てることができる。１つ又は複数のＰＵＳＣＨ（ｐｈｙｓｉｃａｌ  ｕｐｌｉｎｋ  ｓｈａｒｅｄ  ｃｈａｎｎｅｌ）を、ユーザデータを搬送するためにＵＬサブフレームのデータ領域に割り当てることができる。
【００８０】
ＵＬサブフレームではＤＣ（Ｄｉｒｅｃｔ  Ｃｕｒｒｅｎｔ）副搬送波を基準に遠い距離の副搬送波が制御領域でとして活用される。換言すれば、ＵＬ送信帯域幅の両端部に位置する副搬送波が上りリンク制御情報の送信に割り当てられる。ＤＣ副搬送波は、信号送信に用いられないで残される成分であり、周波数アップコンバート過程で搬送波周波数ｆ０にマップされる。１つのＵＥに対するＰＵＣＣＨは、１つのサブフレームで、１つの搬送波周波数で動作するリソースに属したＲＢ対に割り当てられ、上記ＲＢ対に属したＲＢは、２つのスロットでそれぞれ異なる副搬送波を占有する。このように割り当てられるＰＵＣＣＨを、ＰＵＣＣＨに割り当てられたＲＢ対がスロット境界で周波数ホップすると表現する。ただし、周波数ホップが適用されない場合には、ＲＢ対が同一の副搬送波を占有する。
【００８１】
近年、機械タイプ通信（ｍａｃｈｉｎｅ  ｔｙｐｅ  ｃｏｍｍｕｎｉｃａｔｉｏｎ、ＭＴＣ）が重要な通信標準化イシューの一つとして台頭している。ＭＴＣとは主に人の介入なしにあるいは人の介入を最小化したままで機械（ｍａｃｈｉｎｅ）とｅＮＢの間で行われる情報交換を意味する。例えば、ＭＴＣは計量器検針、水位測定、監視カメラの活用、自動販売機の在庫報告などのような測定／感知／報告などのデータ通信などに用いられることができ、所定特性を共有する複数のＵＥに対する自動アプリケーション又はファームウエアの更新過程などに用いられることができる。ＭＴＣの場合、送信データ量が少なく、上り／下りリンクデータの送信又は受信（以下、送信／受信）がたまに発生する。このようなＭＴＣの特性のため、ＭＴＣのためのＵＥ（以下、ＭＴＣ  ＵＥ）の場合、低いデータ送信率に合わせてＵＥの製作コストを低め、バッテリー消耗を減らすことが効率的である。また、このようなＭＴＣ  ＵＥは移動性が少なく、よってチャネル環境がほぼ変わらない特性を有する。ＭＴＣ  ＵＥが計量、検針、監視などに使われる場合、ＭＴＣ  ＵＥは通常のｅＮＢのカバレッジが及ばない位置、例えば地下又は倉庫、山間などに位置する可能性が高い。このようなＭＴＣ  ＵＥの用途を考慮すれば、ＭＴＣ  ＵＥのための信号は既存ＵＥ（以下、レガシーＵＥ）のための信号に比べて広いカバレッジを有することが良い。
【００８２】
ＭＴＣ  ＵＥの用途を考慮すれば、ＭＴＣ  ＵＥはレガシーＵＥに比べて広いカバレッジの信号を必要とする可能性が高い。したがって、ｅＮＢがレガシーＵＥに送信する方式と同一の方式でＰＤＣＣＨ、ＰＤＳＣＨなどをＭＴＣ  ＵＥに送信すれば、ＭＴＣ  ＵＥはこれを受信するのに困難を経験することになる。したがって、本発明は、ｅＮＢが送信する信号をＭＴＣ  ＵＥが有効に受信することができるようにするために、ｅＮＢはカバレッジ問題（ｃｏｖｅｒａｇｅ  ｉｓｓｕｅ）が存在するＭＴＣ  ＵＥに信号を送信するとき、サブフレーム繰り返し（信号を有するサブフレームを繰り返す）、サブフレームバンドリングなどのカバレッジ強化（ｃｏｖｅｒａｇｅ  ｅｎｈａｎｃｅｍｅｎｔ）のための技法を適用することを提案する。例えば、カバレッジ問題が存在するＭＴＣ  ＵＥにはＰＤＣＣＨ及び／又はＰＤＳＣＨが複数（例えば、約１００個）のサブフレームを介して送信されることができる。
【００８３】
本発明の実施例は、３ＧＰＰ  ＬＴＥ/ＬＴＥ−Ａシステムの以外に、新しい無線接続技術(ｒａｄｉｏ  ａｃｃｅｓｓ  ｔｅｃｈｎｏｌｏｇｙ、ＲＡＴ)システムにも適用できる。多数の通信器機がより大きな通信容量を要求することにより、既存のＲＡＴに比べて向上したモバイルブロードバンド通信の必要性が高まっている。また、多数の器機及び物事を連結していつでもどこでも多様なサービスを提供する大規模(ｍａｓｓｉｖｅ)ＭＴＣが次世代通信の主要争点の1つになっている。さらに信頼性及び遅延などに敏感なサービス／ＵＥを考慮した通信システムのデザインも論議されている。このように進歩したモバイルブロードバンド通信、大規模ＭＴＣ、ＵＲＬＬＣ(Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ)などを考慮した次世代ＲＡＴの導入が論議されている。本発明では便宜上、該当技術を新しいＲＡＴという。
【００８４】
ＬＴＥ−Ａの次期システムでは、データ送信の遅延を低減する方案を考慮している。パケットデータの遅延は(速度テストアプリケーションを通じて)、販売業者(ｖｅｎｄｏｒ)、オペレーター(ｏｐｅｒａｔｏｒ)及び最終ユーザ(ｅｎｄ−ｕｓｅｒ)が規則的に測定する性能測定基準(ｐｅｒｆｏｒｍａｎｃｅ  ｍｅｔｒｉｃ)の１つである。遅延測定は、無線接続ネットワークシステムの一生の全ての局面において、新しいソフトウェアリリース又はシステムコンポーネントを検証する時、システムを配置(ｄｅｐｌｏｙ)する時及びシステムが商業的に運用中である時に行われる。
【００８５】
３ＧＰＰ  ＲＡＴの以前世代より良好な遅延は、ＬＴＥの設計を導いた１つの性能測定基準である。現在ＬＴＥは最終ユーザにとってインターネットへのより速い接続及びモバイル無線技術の以前の世代より低いデータ遅延を提供するシステムと認識されている。
【００８６】
しかし、システム内の遅れを特にターゲティングする改善はほぼ行われていない。パケットデータの遅延は、システムの感知された敏感性のためだけではなく、全体処理量（ｔｈｒｏｕｇｈｐｕｔ）に関接的に影響を及ぼすパラメータである。ＨＴＴＰ／ＴＣＰは支配的なアプリケーションであり、現在インターネット上で使用されるトランスポートレイヤプロトコルのスイート(ｓｕｉｔｅ)である。ＨＴＴＰアーカイブ(ＨＴＴＰ：／／ｈｔｔｐａｒｃｈｉｖｅ．ｏｒｇ／ｔｒｅｎｄｓ.ｐｈｐ)によれば、インターネット上におけるＨＴＴＰ基盤のトランザクション(ｔｒａｎｓａｃｔｉｏｎ)はキロバイトの１０分のいくつ(ａ  ｆｅｗ  １０’ｓ)から１メガバイトまでの範囲内にある。かかる範囲内でＴＣＰの遅い(ｓｌｏｗ)開始期間(ｐｅｒｉｏｄ)は、パケットストリームの総トランスポート期間のうちの相当部分である。ＴＣＰの遅い開始の間に性能は遅延によって制約される。従って、改善した遅延により、かかるタイプのＴＣＰ基盤データのトランザクションのための平均処理量が改善される。また、(Ｇｂｐｓの範囲で)非常に高いビットレートを達成するために、ＵＥ  Ｌ２バッファーが対応して形成される必要がある。ＲＴＴ(ｒｏｕｎｄ  ｔｒｉｐ  ｔｉｍｅ)が長くなるほどバッファーがもっと大きくなる必要がある。ＵＥ及びｅＮＢ内においてバッファーの要求事項を減らすための唯一の方法は遅延を減らすことである。
【００８７】
遅れの減少により、無線リソースの効率性にも肯定的な影響を与えることができる。低いデータパケットの遅れは、一定の遅れ範囲内で可能な送信試みの回数を減らすことができる。よって、無線リソースを緩和しながらも悪い無線条件下の使用者器機のための強健性のレベルを同一に維持して、より高いＢＬＥＲ(ｂｌｏｃｋ  ｅｒｒｏｒ  ｒａｔｉｏ)ターゲットがデータ送信に使用されることができる。同一のＢＬＥＲターゲットを維持すると、一定の遅れ範囲内で可能な送信の個数が増加し、これはリアルタイムのデータストリーム(例えば、ＶｏＬＴＥ)の強健さと解釈される。これにより、ＶｏＬＴＥ音声システムの容量も改善できる。
【００８８】
例えば、ゲーム、ＶｏＬＴＥ／ＯＴＴ  ＶｏＩＰのようなリアルタイムアプリケーション、また画像通話／会議のような：感知される経験の質の側面において、遅れの減少により肯定的な影響を受ける既存のアプリケーションが多くなる。
【００８９】
未来は遅れの克服が重要な新しいアプリケーションが増加する。例えば、スマート眼鏡又は重大な通信だけではなく、低い遅延を要求する特定機械通信における増強現実(ａｕｇｍｅｎｔｅｄ  ｒｅａｌｉｔｙ)アプリケーション、車両のリモート制御／ドライブなどにとって遅れは重大な要素である。
【００９０】
図５は短いＴＴＩの例示と短いＴＴＩ内における制御チャネルとデータチャネルの送信例を示す図である。
【００９１】
ユーザプレーン(ｕｓｅｒ  ｐｌａｎｅ，Ｕ−ｐｌａｎｅ)の遅延を１ｍｓに縮めるために、１ｍｓより短い他の長さのｓＴＴＩが構成されることができる。例えば、正規ＣＰの場合、２つのＯＦＤＭシンボルからなるｓＴＴＩ、４つのＯＦＤＭシンボルからなるｓＴＴＩ及び／又は７つのＯＦＤＭシンボルからなるｓＴＴＩがあり得る。
【００９２】
デフォルトＴＴＩの周波数帯域内の一部又は全体周波数のリソース上において、ＴＴＩを構成する全てのＯＦＤＭシンボルが時間ドメインで２つ以上のｓＴＴＩに分割されるか、又はＴＴＩのＰＤＣＣＨ領域が占めるＯＦＤＭシンボルを除いたその他のＯＦＤＭシンボルが２つ以上のｓＴＴＩに分割される。
【００９３】
以下、システムで使用されるデフォルト或いはメイン(ｍａｉｎ)ＴＴＩをＴＴＩ或いはサブフレームと称し、システムのデフォルト／メインＴＴＩではない、それより短い時間長さを有するＴＴＩをｓＴＴＩと称する。例えば、現在までのＬＴＥ／ＬＴＥ−Ａシステムのように１ｍｓのＴＴＩがデフォルトＴＴＩとして使用されるシステムでは、１ｍｓより短い時間長さを有するＴＴＩがｓＴＴＩと称される。ＴＴＩとｓＴＴＩにおける信号送受信方法は、現在ＬＴＥ／ＬＴＥ−Ａニューマロロジーによるシステムだけではなく、新しいＲＡＴ環境におけるニューマロロジーによるシステムのデフォルト／メインＴＴＩ及びｓＴＴＩにおいても同様の方式で適用できる。
【００９４】
下りリンク環境では、このｓＴＴＩ内におけるデータの送信／スケジューリングのためのＰＤＣＣＨ(即ち、ｓＰＤＣＣＨ)とｓＴＴＩ内で送信が行われるＰＤＳＣＨ(即ち、ｓＰＤＳＣＨ)が送信されることができる。例えば、図５を参照すると、１つのサブフレーム内に複数のｓＴＴＩが互いに異なるＯＦＤＭシンボルを使用して構成される。例えば、サブフレーム内のＯＦＤＭシンボルが時間ドメインで１つ以上のｓＴＴＩに分割されることができる。ｓＴＴＩを構成するＯＦＤＭシンボルは複数のレガシー制御チャネルが送信される先頭ＯＦＤＭシンボルを除いて構成される。ｓＴＴＩ内においてｓＰＤＣＣＨとｓＰＤＳＣＨの送信は、互いに異なるＯＦＤＭシンボル領域を用いてＴＤＭされた形態で送信される。ｓＴＴＩ内においてｓＰＤＣＣＨとｓＰＤＳＣＨの送信は、互いに異なるＰＲＢ領域／周波数リソースを用いてＦＤＭされた形態で送信される。
【００９５】
＜ＯＦＤＭニューマロロジー＞
【００９６】
新しいＲＡＴシステムでは、ＯＦＤＭ送信方式又はこれと類似する送信方式を使用する。例えば、新しいＲＡＴシステムは、以下の表に定義されたＯＦＤＭパラメータに従う。或いは以下の表と異なるパラメータを使用するニューマロロジーが定義されることもできる。又は新しいＲＡＴシステムは、既存のＬＴＥ／ＬＴＥ−Ａのニューマロロジーをそのまま従うが、より大きいシステム帯域幅(例えば、１００ＭＨｚ)を有することができる。又は１つのセルが複数のニューマロロジーを支援することもできる。例えば、ＮＲシステム或いはＮＲセルは、副搬送波の間隔が互いに異なる複数のニューマロロジーを支援することができる。即ち、互いに異なるニューマロロジーで動作する複数のＵＥが１つのセル内に共存することができる。
【００９７】
【表１】
2019526189.tif 000003
【００９８】
＜アナログビーム形成(ａｎａｌｏｇ  ｂｅａｍｆｏｒｍｉｎｇ)＞
【００９９】
ミリメートル波長(ｍｉｌｌｉｍｅｔｅｒ  ｗａｖｅ，ｍｍＷ)では波長が短くなって、同じ面積に多数のアンテナ要素を設けることが可能になる。例えば、１ｃｍ程度の波長を有する３０ＧＨｚ帯域においては５ｂｙ５ｃｍのパネルに０．５λ(波長)間隔で、２次元配列形態で総１００個のアンテナ要素を設けることができる。よって、ｍｍＷでは、多数のアンテナ要素を使用してビーム形成利得を高めてカバレッジを増加させるか、或いは処理量(ｔｈｒｏｕｇｈｐｕｔ)を高めることが考えられる。
【０１００】
アンテナ要素ごとに送信パーワ及び位相を調節できるように送受信ユニット(ｔｒａｎｓｃｅｉｖｅｒ  ｕｎｉｔ、ＴＸＲＵ)を有すると、周波数リソースごとに独立的なビーム形成が可能になる。しかし、１００余個の全てのアンテナ要素にＴＸＲＵを設けることは費用面で実効性が乏しい。従って、１つのＴＸＲＵに多数のアンテナ要素をマッピングし、アナログ位相シフター(ａｎａｌｏｇ  ｐｈａｓｅ  ｓｈｉｆｔｅｒ)でビーム方向を調節する方式が考えられる。かかるアナログビーム形成方式では、全帯域において１つのビーム方向のみを形成するので、周波数選択的なビーム形成(ｂｅａｍｆｏｒｍｉｎｇ，ＢＦ)が難しいという短所がある。
【０１０１】
デジタルＢＦ及びアナログＢＦの中間形態として、Ｑ個のアンテナ要素より少ない数のＢ個のＴＸＲＵを有するハイブリッドＢＦが考えられる。ハイブリッドＢＦの場合、Ｂ個のＴＸＲＵとＱ個のアンテナ要素の連結方式によって差はあるが、同時に送信可能なビームの方向はＢ個以下に制限される。
【０１０２】
＜サブフレームの構造＞
【０１０３】
図６は新しい無線接続技術(ｎｅｗ  ｒａｄｉｏ  ａｃｃｅｓｓ  ｔｅｃｈｎｏｌｏｇｙ，ＮＲ)システムにおいて利用可能なサブフレーム構造を例示する図である。
【０１０４】
データ送信遅延を最小にするために、５世代の新しいＲＡＴでは制御チャネルとデータチャネルが時間分割多重化(ｔｉｍｅ  ｄｉｖｉｓｉｏｎ  ｍｕｌｔｉｐｌｅｘｉｎｇ，ＴＤＭ)されるサブフレームの構造が考えられる。
【０１０５】
図６において、斜線領域はＤＣＩを運ぶＤＬ制御チャネル(例えば、ＰＤＣＣＨ)の送信領域を示し、黒色部分はＵＣＩを運ぶＵＬ制御チャネル(例えば、ＰＵＣＣＨ)の送信領域を示す。ここで、ＤＣＩはｅＮＢがＵＥに伝達する制御情報であり、ＤＣＩはＵＥが分かるべきセル設定（ｃｏｎｆｉｇｕｒａｔｏｉｎ）に関する情報、ＤＬスケジューリングなどのＤＬ特定的情報、またＵＬグラントのようなＵＬ特定的情報などを含む。またＵＣＩはＵＥがｅＮＢに伝達する制御情報であり、ＵＣＩはＤＬデータに対するＨＡＲＱ  ＡＣＫ／ＮＡＣＫ報告、ＤＬチャネル状態に対するＣＳＩ報告、またスケジューリング要請(ｓｃｈｅｄｕｌｉｎｇ  ｒｅｑｕｅｓｔ，ＳＲ)などを含む。
【０１０６】
図６において、シンボルインデックス１からシンボルインデックス１２までのシンボル領域は、下りリンクデータを運ぶ物理チャネル(例えば、ＰＤＳＣＨ)の送信、又は上りリンクデータを運ぶ物理チャネル(例えば、ＰＤＣＣＨ)の送信に使用される。サブフレームの構造によると、１つのサブフレーム内においてＤＬ送信とＵＬ送信が順に行われて、ＤＬデータの送信／受信とＤＬデータに対するＵＬ  ＡＣＫ／ＮＡＣＫの受信／送信が１つのサブフレーム内で行われる。結果として、データ送信エラーの発生時にデータの再送信までにかかる時間を短縮させることにより、最終データ伝達の遅延を最小化することができる。
【０１０７】
このようなサブフレームの構造では、ｅＮＢ及びＵＥは送信モードから受信モードへの転換過程又は受信モードから送信モードへの転換過程のための時間ギャップ(ｔｉｍｅ  ｇａｐ)が必要である。このような送信モードと受信モードの間の転換過程のために、サブフレームの構造においてＤＬからＵＬに転換される時点の一部ＯＦＤＭシンボルがガード期間(ｇｕａｒｄ  ｐｅｒｉｏｄ，ＧＰ)に設定される。
【０１０８】
既存のＬＴＥ／ＬＴＥ−Ａシステムにおいては、ＤＬ制御チャネルはデータチャネルとＴＤＭされ(図３を参照)、制御チャネルであるＰＤＣＣＨはシステムの全帯域に広がって送信される。しかし、新しいＲＡＴでは、１つのシステムの帯域幅が最小約１００ＭＨｚに達すると予想されるので、制御チャネルを全帯域に拡散して送信することは無理である。ＵＥがデータ送受信のために下りリンク制御チャネル受信のために全帯域をモニタリングすることは、ＵＥのバッテリー消耗増大及び効率性低下を招く。従って、本発明ではＤＬ制御チャネルをシステム帯域、即ちチャネル帯域内の一部の周波数帯域でローカライズ(ｌｏｃａｌｉｚｅ)して送信するか、或いは分散して送信することを提案している。
【０１０９】
図７はアナログビームを用いた無線信号の送受信方法を例示する図である。特に図７はＴｘ／Ｒｘアナログビームスキャンによる無線信号の送受信方法を例示している。
【０１１０】
図７を参照すると、ｅＮＢがビームをスイッチングしながらセル或いは搬送波上で同期信号を送信すると、ＵＥは該当セル／搬送波上で検出した同期信号を用いてセル／搬送波との同期化(ｓｙｎｃｈｒｏｎｉｚａｔｉｏｎ)を行い、自分に最適な(ビーム)方向を探す。かかる過程を通じてＵＥはセルＩＤ及び(ビーム方向に該当する)ビームＩＤを得るべきである。ＵＥはビームＩＤを得ながら該当ビーム方向に送信される信号、特にＲＳ情報、例えば、ＲＳシーケンス或いはシード(ｓｅｅｄ)情報、位置などを得る。ｅＮＢは特定のビームＩＤを得たＵＥに、即ち、特定のビーム方向にＤＬチャネルを受信可能なＵＥにグループＩＤを割り当て、セル共通の情報はビームＩＤごとに時間／空間分割されてＵＥに送信される。セル共通の情報はビームＩＤ共通方式でＵＥに送信される。
【０１１１】
セル内のビームＩＤを得たＵＥは、セル−特定的情報をビームＩＤ或いはグループＩＤ特定的情報として受信する。ビームＩＤ或いはグループＩＤ特定的情報は、該当グループのＵＥが共通に受信する情報である。
【０１１２】
本発明では説明の便宜上、下りリンクデータが送信されるチャネルをＰＤＳＣＨと称し、上りリンクデータが送信されるチャネルをＰＵＳＣＨと称する。本発明では説明の便宜上、下りリンク環境(ＰＤＳＣＨの送信)を主として発明の内容を説明するが、本発明の内容は上りリンク環境(ＰＵＳＣＨの送信)にも適用できる。
【０１１３】
図８は特性の異なる２つのデータ送信が同一の時間−周波数リソースで衝突する場合を例示する図である。
【０１１４】
遅延が重要なデータ(例えば、ＵＲＬＬＣデータ)と相対的に遅延が重要ではないデータ(例えば、ｅＭＢＢデータ)が同一のセルの同一の周波数リソースで多重化されて送信される場合、遅延が重要なデータの送信とそれほど重要ではないデータの送信が同じ時間−周波数リソースで衝突することができる。一般的に遅延が重要なデータの送信が優先するので、図８に示したように、遅延が重要なデータであるＰＤＳＣＨ２が、遅延がそれほど重要ではないデータであるＰＤＳＣＨ１のリソースをパンクチャリングして送信されることができる。この場合、一般的に遅延がそれほど重要ではないＰＤＳＣＨ１は、遅延が重要なＰＤＳＣＨ２に比べて長いＴＴＩ長さを有して送信され、これにより一般的に遅延がそれほど重要ではないＰＤＳＣＨ１の一部ＯＦＤＭシンボル領域が遅延が重要なＰＤＳＣＨ２の送信のためにパンクチャリングされる。この場合、一部のリソース領域がパンクチャリングされたデータは、該当リソースで干渉を経験して大きな性能低下が発生する。またＰＤＳＣＨ１を復号するＵＥがＰＤＳＣＨ１リソースをパンクチャリングしたＰＤＳＣＨ２の存在を分からないと、パンクチャリングされたリソース位置のデータをＰＤＳＣＨ１のデータと認識して復号するので、エラーレートが大きくなる。よって、他のデータの送信のためにパンクチャリングされたデータの受信性能を向上させる方法が求められる。
【０１１５】
本発明では、ＮＲ環境においてサブフレーム内のデータが送信される一部リソース(ＯＦＤＭシンボル)領域に他のデータが送信された場合に、受信装置がデータを成功裏に受信する方法を提案する。
【０１１６】
本発明では主にデータが送信される一部リソース(例えば、ＯＦＤＭシンボル)領域がパンクチャリングされて他のデータが送信される場合を考慮して説明するが、インタ−セル干渉によってデータが送信される一部リソースで受信装置がデータを正確に受信できない場合にも適用できる。
【０１１７】
また本発明は、ＮＲ環境だけではなく、ＬＴＥ／ＬＴＥ−Ａシステムにおいて、短くなったＴＴＩで送信されるデータによってレガシーＴＴＩ又はもっと長いＴＴＩで送信されるデータがパンクチャリングされて送信される場合にも適用可能である。
【０１１８】
また本発明は、全二重無線(ｆｕｌｌ  ｄｕｐｌｅｘ  ｒａｄｉｏ，ＦＤＲ)を使用する環境において、他の上りリンクデータ及び／又は下りリンクデータの送信によってデータがパンクチャリングされて送信される場合だけではなく、イントラ−セル干渉及び／又はインタ−セル干渉によってデータを正確に受信し難い場合にも適用可能である。
【０１１９】
一部のリソース領域がパンクチャリングされたデータの受信性能を高めるために、受信装置では以下の方法が考えられる。
【０１２０】
ソルーション  Ａ）該当データのリソースのうち、他のデータによって送信されなかったリソース領域をパンクチャリングした後、該当データの受信及び復号を行う。
【０１２１】
ソルーション  Ｂ）アウターイレイザーコード(ｏｕｔｅｒ  ｅｒａｓｕｒｅ  ｃｏｄｅ)を使用して送信されなかった(又は受信に失敗した)データを復元。
【０１２２】
以下、一部のリソース領域がパンクチャリングされたデータの受信性能を高めるためにソルーションＡ又はＢの方法を使用することを仮定して本発明を説明するが、他の方法を使用する場合にも本発明を適用できる。
【０１２３】
＜Ａ．データがパンクチャリングされたＯＦＤＭシンボルの位置を判断する方法＞
【０１２４】
一部リソース領域がパンクチャリングされたデータの受信性能を高めるために、上述したソルーションＡの方法が使用される場合、受信装置はデータをパンクチャリングする位置を分からなければならない。一般的に、遅延のイッシュの少ないデータ(例えば、図８のＰＤＳＣＨ１)が送信される途中に遅延が重要なデータ(例えば、図８のＰＤＳＣＨ２)が送信されるので、ＰＤＳＣＨ１を受信するＵＥはＰＤＳＣＨ２の送信有無と送信リソースを分からない。従って、ＵＥはｅＮＢから自分が受信するＰＤＳＣＨリソースのうちパンクチャリングされたリソースの情報指示を受ける必要がある。また上述したソルーションＢの方法が使用される場合にも、ＵＥはｅＮＢから自分が受信するＰＤＳＣＨリソースのうちパンクチャリングされたリソースの情報指示を受けることにより、受信されたデータをパンクチャリングし、アウターイレイザーコードを通じて復号すべきデータ領域を判断することができる。即ち、本発明では、ｅＮＢがサブフレームｎで送信したデータに対するＮＡＣＫをＵＥから受信した後にデータに対する再送信を行う時、或いは再送信のスケジューリング時にデータがサブフレームｎで送信される時にパンクチャリングされた部分をＵＥに知らせる方法以外にも、パンクチャリングされたデータのパンクチャリング有無をパンクチャリングされたデータがあるＴＴＩ或いは次のＴＴＩで特に知らせることを提案する。例えば、かかる指示は再送信ＤＣＩ或いは所定のチャネルを通じて送信される。
【０１２５】
このために、以下のようにｅＮＢがＵＥにデータがパンクチャリングされたＯＦＤＭシンボル領域を指示することができる。
【０１２６】
−オプション  Ａ１．ＯＦＤＭシンボル−ワイズ指示
【０１２７】
図９はパンクチャリングされたＯＦＤＭシンボル領域を指示する本発明の一例を示す図である。
【０１２８】
ｅＮＢは各々のＯＦＤＭシンボルごと又はＯＦＤＭシンボルグループごとにデータをパンクチャリングするか否かをＵＥに指示する。この時、ＯＦＤＭシンボルグループごとにデータをパンクチャリングするか否かがＵＥに指示される場合、データが送信される領域が複数のＯＦＤＭシンボルグループに区分されており、ｅＮＢとＵＥはこれを予め認知することができる。このＯＦＤＭシンボルグループは、現在送信しているデータのＴＴＩより短いＴＴＩの境界により区分される。即ち、同一の短いＴＴＩに属するＯＦＤＭシンボル領域が同一のＯＦＤＭシンボルグループに属することができる。現在送信されるデータのＴＴＩより短いＴＴＩが複数個存在する場合、ＯＦＤＭシンボルグループは、１）最も短いＴＴＩの境界を基準として分けられるか、或いは２）データが送信されるＴＴＩより１段階短いＴＴＩ(即ち、データが送信されるＴＴＩより短いＴＴＩのうち、最も長いＴＴＩ)の境界を基準として分けられる。以下の方法により各々のＯＦＤＭシンボル又はＯＦＤＭシンボルグループごとにデータをパンクチャリングするか否かがＵＥに指示される。
【０１２９】
＊方法Ａ１−ａ）  データの送信のために、該当ＯＦＤＭシンボル(グループ)(以下、ＯＦＤＭシンボル(グループ))が使用されるか否かを指示する情報を含むチャネルが新しく導入される。本発明では説明の便宜上、このチャネルをパンクチャリング支持者チャネル(ｐｕｎｃｔｕｒｉｎｇ  ｉｎｄｉｃａｔｏｒ  ｃｈａｎｎｅｌ，ＰＩ_ＣＨ)と称する。このチャネルは各々のＯＦＤＭシンボル又はＯＦＤＭシンボルグループごとに存在して、該当チャネルが送信されるＯＦＤＭシンボル(グループ)、又は該当チャネルが送信されるＯＦＤＭシンボル(グループ)の次のＯＦＤＭシンボル(グループ)領域がデータの送信に使用されるか否かをＵＥに指示する。この指示は以下の方式により送信できる。
【０１３０】
＞ｉ．１ビットのデータが該当チャネルに送信される。
【０１３１】
＞ii．１ビット情報の値によって該当チャネルを構成するシーケンスが変わる。又は、
【０１３２】
＞iii．１ビット情報の値によって該当チャネルの送信有無が変わる。
【０１３３】
＊方法Ａ１−ｂ）  参照信号(ｒｅｆｅｒｅｎｃｅ  ｓｉｇｎａｌ，ＲＳ)のシーケンス又はスクランブルシーケンスを異なるようにすることにより、特定のＯＦＤＭシンボル(グループ)がデータ送信に使用されるか否かがＵＥに指示される。この時、この特定のＯＦＤＭシンボル(グループ)は、該当ＲＳが送信されるＯＦＤＭシンボル(グループ)及び／又は該当ＲＳが送信されるＯＦＤＭシンボル(グループ)の次のＯＦＤＭシンボル(グループ)を意味する。例えば、スクランブルシーケンスＡとスクランブルシーケンスＢが存在する時、ＲＳにスクランブルシーケンスＡが適用される場合、ＲＳが送信されるＯＦＤＭシンボル(グループ)がデータ送信に使用されたことを意味し、ＲＳにスクランブルシーケンスＢが適用される場合は、ＲＳが送信されるＯＦＤＭシンボル(グループ)がデータ送信に使用されなかったことを意味する。
【０１３４】
＊方法Ａ１−ｃ）  ＯＦＤＭシンボル(グループ)単位でデータにスクランブルが適用されることができる。即ち、１つのスクランブルシーケンスは１つのＯＦＤＭシンボル(グループ)に送信されるデータ部分に適用される。言い換えれば、データが送信するＴＴＩ内にＮ個のＯＦＤＭシンボル(グループ)が存在すると、データはＮ個のブロックにセグメントされて各々のブロックごとにスクランブルが適用され、各々のブロックが１つのＯＦＤＭシンボル(グループ)内にマッピングされることができる。この時、各々のＯＦＤＭシンボル(グループ)内に送信されるデータに適用されるスクランブルシーケンスを異なるようにすることにより、特定のＯＦＤＭシンボル(グループ)がデータ送信に使用されるか否かがＵＥに指示される。かかる特定のＯＦＤＭシンボル(グループ)は、該当データブロックが送信されるＯＦＤＭシンボル(グループ)、又は該当データブロックが送信されるＯＦＤＭシンボル(グループ)の次のＯＦＤＭシンボル(グループ)を意味する。
【０１３５】
又はデータが送信されるＴＴＩ内にＮ個のＯＦＤＭシンボル(グループ)が存在すると、データはＮ個のブロックにセグメントされて、各々のブロックごとにＣＲＣ(Ｃｙｃｌｉｃ  Ｒｅｄｕｎｄａｎｃｙ  Ｃｈｅｃｋ)が取り付けられ、各々のブロックが１つのＯＦＤＭシンボル(グループ)内にマッピングされることができる。この時、各々のＯＦＤＭシンボル(グループ)内に送信されるデータブロックのＣＲＣに適用されるスクランブルシーケンスを異なるようにすることにより、特定のＯＦＤＭシンボル(グループ)がデータ送信に使用されるか否かがＵＥに指示される。かかる特定のＯＦＤＭシンボル(グループ)は該当データブロックが送信されるＯＦＤＭシンボル(グループ)又は該当データブロックが送信されるＯＦＤＭシンボル(グループ)の次のＯＦＤＭシンボル(グループ)を意味する。
【０１３６】
特定のＯＦＤＭシンボル(グループ)において、次のＯＦＤＭシンボル(グループ)領域がデータ送信に使用されるか否かが指示される場合、サブフレーム内の１番目のＯＦＤＭシンボル(グループ)領域に対する指示は、以前のサブフレームの最後のＯＦＤＭシンボル(グループ)を通じて送信できる。
【０１３７】
方法Ａ１−ａ）が使用される場合、本発明は以下のように動作できる。
【０１３８】
＊オプションＡ１−１）ＰＩ_ＣＨを通じて該当チャネルが送信されるＯＦＤＭシンボル(グループ)がデータ送信に使用されるか否かが指示される。この時、現在送信しているデータと異なるニューマロロジーを使用して送信されるＵＲＬＬＣデータの送信によって、特定のＯＦＤＭシンボル(グループ)が現在送信しているデータ送信に使用されないことができる。この場合、該当ＯＦＤＭシンボル(グループ)で信号の送信が異なるニューマロロジーで行われるので、ＰＩ_ＣＨの送信が難しい。従って、受信装置(例えば、ＵＥ)は、ＰＩ_ＣＨが検出されると、現在ＯＦＤＭシンボル(グループ)がデータ送信に使用され、ＰＩ_ＣＨが検出されないと、現在ＯＦＤＭシンボル(グループ)がデータ送信に使用されなかったと判断できる。例えば、ＵＥはＰＩ_ＣＨが検出されたＯＦＤＭシンボル(グループ)には該当データがあると仮定、即ち、パンクチャリングされなかったと仮定して、該当データの復号を行う。逆に、ＵＥはＰＩ_ＣＨが検出されなかったＯＦＤＭシンボル(グループ)では該当データがパンクチャリングされたと判断し、ＰＩ_ＣＨが検出されなかったＯＦＤＭシンボル(グループ)で受信された信号を復号過程から除いて復号を行うか或いはアウターイレイザーコードを用いて復元後に復号する。ｅＮＢはＵＥへデータが送信されるＯＦＤＭシンボル(グループ)のうち、他のニューマロロジーのデータ送信のためにパンクチャリングされるＯＦＤＭシンボル(グループ)がある場合、パンクチャリングされなかったＯＦＤＭシンボル(グループ)についてはＰＩ_ＣＨをＵＥに送信し、パンクチャリングされたＯＦＤＭシンボルについてはＰＩ_ＣＨをＵＥに送信しないことにより、ＵＥにパンクチャリングされたリソースの位置を知らせる。
【０１３９】
＊オプションＡ１−２）ＰＩ_ＣＨを通じて該当チャネルが送信されるＯＦＤＭシンボル(グループ)の次のＯＦＤＭシンボル(グループ)がデータ送信に使用されるか否かが指示される。この時、受信装置はＰＩ_ＣＨが検出されると、現在ＯＦＤＭシンボル(グループ)がデータ送信に使用され、ＰＩ_ＣＨが検出されないと、現在ＯＦＤＭシンボル(グループ)がデータ送信に使用されなかったと判断できる。しかし、この場合には次のような問題がある。例えば、図９のように、６つのＯＦＤＭシンボル(ＯＦＤＭ  ｓｙｍｂｏｌ，ＯＳ)及び／又はＯＦＤＭシンボルグループ(以下、ＯＳ(グループ))が存在する時、ＯＳ(グループ)＃４がデータ送信に使用されないことができる。この場合、ＯＳ(グループ)＃４でデータが送信されなかったという指示がＯＳ(グループ)＃３を通じて送信／受信されることができる。なお、ＯＳ(グループ)＃５がデータ送信に使用されると、ＯＳ(グループ)＃４で該当指示があるべきであるが、ＯＳ(グループ)＃４でＵＲＬＬＣデータ送信により信号の送信が異なるニューマロロジーで行われる場合、ＰＩ_ＣＨが送信されず、ＵＥはＰＩ_ＣＨを検出できないので、ＯＳ又はＯＳグループ＃５がデータ送信に使用されなかったと認識することになる。この問題を解決するために、ＵＥはデータ送信に使用しないと指示されたＯＳ(グループ)の次のＯＳ(グループ)は常にデータ送信に使用されるものと判断するように具現／設定することができる。
【０１４０】
＊オプションＡ１−３）オプションＡ１−１及びオプションＡ１−２の場合、データが送信される全てのＯＳ(グループ)又はほとんどのＯＳ(グループ)でＰＩ_ＣＨが送信される。この場合、ＰＩ_ＣＨ送信によりオーバーヘッドが増加するという短所がある。この問題を解決するために、送信装置はＰＩ_ＣＨを通じて該当チャネルが送信されるＯＦＤＭシンボル(グループ)(以下、ＯＦＤＭシンボル(グループ))の次のＯＦＤＭシンボル(グループ)がデータ送信に使用されるか否かを指示し、受信装置はＰＩ_ＣＨが検出されないと、現在のＯＦＤＭシンボル(グループ)がデータ送信に使用され、ＰＩ_ＣＨが検出されると、現在のＯＦＤＭシンボル(グループ)がデータ送信に使用されなかったことを指示するものと判断することができる。この場合、図９のように、６つのＯＦＤＭシンボル(グループ)が存在し、ＯＳ(グループ)＃４がデータ送信に使用されなかった時、ｅＮＢはＯＳ(グループ)＃３でＰＩ_ＣＨを送信することにより、ＵＥがＯＳ(グループ)＃４がデータ送信に使用されなかったことを判断できるようにし、ＯＳ(グループ)＃４でＰＩ_ＣＨを送信しないことにより、ＵＥがＯＳ(グループ)＃５がデータ送信に使用されなかったことを判断できるようにする。
【０１４１】
−オプション  Ａ２．次のサブフレームで以前のサブフレームのデータの送信ＯＦＤＭシンボル及び／又はＯＦＤＭシンボルグループを指示
【０１４２】
サブフレーム＃ｎ＋ｋにおいては、サブフレーム＃ｎでデータ送信に使用された(又は使用されなかった)ＯＦＤＭシンボル(グループ)が指示される。この時、サブフレームはデータが送信されるＯＦＤＭシンボル領域又はＴＴＩに代替できる。即ち、サブフレームをＯＦＤＭシンボル領域又はＴＴＩに代替してもオプションＡ２をそのまま適用できる。特定のサブフレームでデータ送信に使用された(又は使用されなかった)ＯＦＤＭシンボル(グループ)が、次の利用可能なサブフレームで指示される。
【０１４３】
この指示は、上記の指示するサブフレームのＰＤＣＣＨ(又はＤＣＩ)を通じて送信される。この指示はセル−特定的、ＵＥグループ−特定的又はＵＥ−特定的である。この指示がセル−特定的又はＵＥグループ−特定的である場合、ＰＤＣＣＨ共通探索空間(ｃｏｍｍｏｎ  ｓｅａｒｃｈ  ｓｐａｃｅ，ＣＳＳ)領域を介して該当指示情報を含むＰＤＣＣＨ(ＤＣＩ)が送信されることができる。この指示はサブフレーム、ＴＴＩまたはデータが送信される領域を構成するＯＦＤＭシンボル(グループ)に対するビットマップ方式で送信される。又はこの指示はデータの送信に使用された／使用されなかったＯＦＤＭシンボル(グループ)のインデックス(又は複数のインデックス)を知らせる方法で送信されることができる。
【０１４４】
−オプション  Ａ３．サブフレームの最後のＯＦＤＭシンボルでデータの送信ＯＦＤＭシンボル及び／又はＯＦＤＭシンボルグループを指示
【０１４５】
サブフレームの最後のＯＦＤＭシンボル又は最後のいくつかのＯＦＤＭシンボルでデータの送信に使用されたＯＦＤＭシンボル(グループ)を指示することができる。この時、サブフレームはデータが送信されるＯＦＤＭシンボル領域又はＴＴＩに代替できる。即ち、サブフレームをＯＦＤＭシンボル領域又はＴＴＩに代替してもオプションＡ３をそのまま適用できる。
【０１４６】
＊方法Ａ３−ａ）  サブフレームの最後のＯＦＤＭシンボル又は最後のいくつかのＯＦＤＭシンボルで送信される新しいチャネルを導入し、このチャネルでデータ送信に使用された(又は使用されなかった)ＯＦＤＭシンボル(グループ)を該当サブフレームの最後のシンボルで指示することができる。この指示はサブフレーム、ＴＴＩ又はデータが送信される領域を構成するＯＦＤＭシンボル(グループ)に対してビットマップ方式で送信される。又はデータの送信に使用された／使用されなかったＯＦＤＭシンボル(グループ)のインデックス(又は複数のインデックス)を知らせる方法で送信されることができる。
【０１４７】
＊方法Ａ３−ｂ）  輸送ブロックを構成するコードブロックではない所定の追加コードブロックがサブフレームの最後のＯＦＤＭシンボル又は最後のいくつかのＯＦＤＭシンボルで送信され、かかる追加コードブロックを構成するデータでデータ送信に使用された(又は使用されなかった)ＯＦＤＭシンボル(グループ)を次の利用可能なサブフレームで指示することができる。この指示はサブフレーム、ＴＴＩ又はデータが送信される領域を構成するＯＦＤＭシンボル(グループ)に対してビットマップ方式で送信される。又はデータ送信に使用された／使用されなかったＯＦＤＭシンボル(グループ)のインデックス(又は複数のインデックス)を知らせる方法で送信されることができる。
【０１４８】
＜Ｂ．上りリンク送信時に遅延イッシュのあるデータを成功裏に送信する方法＞
【０１４９】
上りリンク環境において、遅延が重要なデータ(例えば、ＵＲＬＬＣデータ)と相対的に遅延が重要ではないデータ(例えば、ｅＭＢＢデータ)が同一のセルの同一の周波数リソースで多重化されて送信される場合、２つのデータの送信リソースに衝突が発生することができる。この時、遅延がそれほど重要ではないデータ(以下、ＰＵＳＣＨ１)は遅延がもっと重要なデータ(以下、ＰＵＳＣＨ２)が送信される前に既に送信されていることができる。この場合、ＰＵＳＣＨ１を送信したＵＥはＰＵＳＣＨ２のスケジューリング有無に関係なくＰＵＳＣＨ１を持続的に送信し、ＰＵＳＣＨ１は相対的に遅延が重要なＰＵＳＣＨ２の送信に大きな干渉として作用する。従って、ＰＵＳＣＨ２の成功裏な送信のために、ＰＵＳＣＨ２がＰＵＳＣＨ１に及ぼす影響を抑える方案が求められる。以下、その方法を提案する。
【０１５０】
−オプション  Ｂ１．ＰＵＳＣＨ送信の中断
【０１５１】
ＰＵＳＣＨ２の成功裏な送信のために、ＰＵＳＣＨ１とＰＵＳＣＨ２の送信リソースが重なる場合には、次の方法によりＰＵＳＣＨ１の送信を中断することができる。
【０１５２】
＊方法Ｂ１−ａ）このために、新しい下りリンクチャネルを導入してＰＵＳＣＨ送信を中断するか否かを下りリンクチャネルで指示する。本発明では説明の便宜上、かかるチャネルをＰＵＳＣＨ_Ｄｒｏｐと称する。ＰＵＳＣＨ_Ｄｒｏｐチャネルは、サブフレーム、ＴＴＩ又はデータが送信されるＯＦＤＭシンボル領域内に１つ又は複数個が存在し、各々異なる時間領域(例えば、ＯＦＤＭシンボル)に位置することができる。ＵＥは該当ＰＵＳＣＨ_Ｄｒｏｐチャネルを受信する途中、少なくとも１つのＰＵＳＣＨ_ＤｒｏｐチャネルでＰＵＳＣＨの送信中断指示があると、即刻ＰＵＳＣＨの送信を中断する。この時、ＵＥは該当ＰＵＳＣＨを送信していたサブフレーム、ＴＴＩ又はＯＦＤＭシンボル領域内でＰＵＳＣＨの送信を中断した後に送信されるＰＵＳＣＨ_Ｄｒｏｐチャネルは受信する必要がない。この指示は以下の方式で送信できる。
【０１５３】
＞ｉ．１ビットのデータが該当チャネルに送信される。又は
【０１５４】
＞ii．１ビット情報の値によって該当チャネルを構成するシーケンスが変わる。
【０１５５】
＊方法Ｂ１−ｂ）特定の下りリンクＲＳのシーケンス又はスクランブルシーケンスを異なるようにすることにより、ＰＵＳＣＨ送信を中断するか否かが指示される。例えば、スクランブルシーケンスＡとスクランブルシーケンスＢが存在する時、ＲＳにスクランブルシーケンスＡが適用される場合は、ＰＵＳＣＨの送信がドロップされなかったことを意味し、ＲＳにスクランブルシーケンスＢが適用される場合は、ＰＵＳＣＨの送信がドロップされたことを意味する。かかるＲＳはサブフレーム、ＴＴＩ又はデータで送信されるＯＦＤＭシンボル領域内に１つ又は複数個が存在し、互いに異なる時間領域(例えば、ＯＦＤＭシンボル)に位置するＲＳの間にはスクランブルシーケンスが独立的に適用される。ＵＥは各々異なる時間領域(例えば、ＯＦＤＭシンボル)でＲＳを受信する途中、少なくとも１つの時間領域(例えば、ＯＦＤＭシンボル)で送信されるＲＳに適用されたスクランブルシーケンスがＰＵＳＣＨ送信のドロップを意味する場合、即刻ＰＵＳＣＨの送信を中断する。
【０１５６】
この時、ＰＵＳＣＨ送信を中断するか否かに関するｅＮＢによる指示／設定は、データが送信されるセル／搬送波を通じて送信される。例えば、ＤＣＩなどを通じてｅＮＢの指示／設定が送信される。又は搬送波集成(ｃａｒｒｉｅｒ  ａｇｇｒｅｇａｔｉｏｎ，ＣＡ)及び／又はデュアル連結性(ｄｕａｌ  ｃｏｎｎｅｃｔｉｖｉｔｙ，ＤＣ)環境を考慮した時、ｅＮＢ指示／設定はＰＣｅｌｌ又はｅＮＢにより決められたセル／搬送波を通じて送信される。この時、セル／搬送波はＵＥがデータを送信するサブフレーム／時間期間の間に下りリンクを送信する特定のセル／搬送波に制限される。又はｅＮＢ指示／設定は、ＵＥがデータを受信するサブフレームで下りリンクを送信する特定のセル／搬送波のうち、任意のセル／搬送波で設定できる。
【０１５７】
−オプション  Ｂ２．ＰＵＳＣＨのパンクチャリングを実行ＯＦＤＭシンボル及び／又はＯＦＤＭシンボルグループ位置指示
【０１５８】
ＰＵＳＣＨ２の成功裏な送信のために、ＰＵＳＣＨ１とＰＵＳＣＨ２の送信リソースが重なる場合には、重なるＯＦＤＭシンボルリソースでＰＵＳＣＨ１の送信がパンクチャリングされることができる。このために、各々のＯＦＤＭシンボル(グループ)ごとに該当ＯＦＤＭシンボル(グループ)及び／又は次のＯＦＤＭシンボル(グループ)におけるデータのパンクチャリング有無がＵＥに指示される。
【０１５９】
＊方法Ｂ２−ａ）新しい下りリンクチャネルを導入して下りリンクチャネルでＰＵＳＣＨ送信を中断するか否か指示される。かかるチャネルは各々のＯＦＤＭシンボル(グループ)ごとに複数個が存在し、各々のチャネルは、該当チャネルが送信されるＯＦＤＭシンボル(グループ)及び／又は該当チャネルが送信されるＯＦＤＭシンボル(グループ)の次のＯＦＤＭシンボル(グループ)におけるＰＵＳＣＨパンクチャリング有無をＵＥに指示する。この指示は以下の方式で送信される。
【０１６０】
＞ｉ．１ビットのデータが該当チャネルに送信される。又は
【０１６１】
＞ii．１ビット情報の値によって該当チャネルを構成するシーケンスが変わる。
【０１６２】
＊方法Ｂ２−ｂ）ＲＳのシーケンス又はスクランブルシーケンスを異なるようにすることにより、特定のＯＦＤＭシンボル(グループ)でＰＵＳＣＨを送信するか否か(ＰＵＳＣＨのパンクチャリング有無)がＵＥに指示される。この時、かかる特定のＯＦＤＭシンボル(グループ)は該当ＲＳが送信されるＯＦＤＭシンボル(グループ)及び／又は該当ＲＳが送信されるＯＦＤＭシンボル(グループ)の次のＯＦＤＭシンボル(グループ)を意味することができる。例えば、スクランブルシーケンスＡとスクランブルシーケンスＢが存在する時、ＲＳにスクランブルシーケンスＡが適用される場合は、ＲＳが送信されるＯＦＤＭシンボル(グループ)でＰＵＳＣＨを送信したことを意味し、ＲＳにスクランブルシーケンスＢが適用される場合は、ＲＳが送信されるＯＦＤＭシンボル(グループ)でＰＵＳＣＨをパンクチャリングしたことを意味する。
【０１６３】
この時、パンクチャリングされたか否かに関するｅＮＢによる指示／設定はデータが送信されるセル／搬送波を通じて送信される。又は搬送波集成(ｃａｒｒｉｅｒ  ａｇｇｒｅｇａｔｉｏｎ，ＣＡ)及び／又はデュアル連結性(ｄｕａｌ  ｃｏｎｎｅｃｔｉｖｉｔｙ，ＤＣ)環境を考慮した時、ｅＮＢ指示／設定はＰＣｅｌｌ又はｅＮＢにより決められたセル／搬送波を通じて送信される。この時、セル／搬送波はＵＥがデータを送信するサブフレーム／時間期間の間に下りリンクを送信する特定のセル／搬送波に制限される。又はｅＮＢ指示／設定は、ＵＥがデータを受信するサブフレームで下りリンクを送信する特定のセル／搬送波のうち、任意のセル／搬送波から設定できる。
【０１６４】
−オプション  Ｂ３．遅延が重要なＰＵＳＣＨを高い電力で送信
【０１６５】
ＰＵＳＣＨ２の成功裏な送信のために、ＰＵＳＣＨ２の送信リソースに既に他のＰＵＳＣＨが送信されている場合、ＰＵＳＣＨ２の送信電力を上げることによりＰＵＳＣＨ２の送信成功確率を高めることができる。ここで、他のＰＵＳＣＨはＰＵＳＣＨ２を送信するＵＥのＰＵＳＣＨ、或いはＰＵＳＣＨ２を送信するＵＥとは異なるＵＥが送信するＰＵＳＣＨであることができる。
【０１６６】
＊方法Ｂ３−ａ）ｅＮＢが短いＴＴＩで送信されるＰＵＳＣＨをスケジューリングする場合、以前のＰＵＳＣＨの送信電力に関係なく、ＵＥにして大きい電力でＰＵＳＣＨを送信できるようにｅＮＢがＰＵＳＣＨをスケジューリングするＤＣＩでＰＵＳＣＨ電力の絶対値を設定することができる。又はＰＵＳＣＨをスケジューリングするＤＣＩでＰＵＳＣＨ電力を設定するフィールドの特定値がＰＵＳＣＨ送信の最大電力又は特定値を意味することができる。又はＰＵＳＣＨをスケジューリングするＤＣＩの明示的(ｅｘｐｌｉｃｉｔ)なフィールドを通じてＰＵＳＣＨ送信電力の最大値又は特定の電力値に設定することもできる。
【０１６７】
＊方法Ｂ３−ｂ）又はｓＴＴＩで送信されるＵＲＬＬＣ上りリンクデータはいつも最大値又は特定の電力値で送信されることができる。
【０１６８】
＊方法Ｂ３−ｃ）又はＵＥがＰＵＳＣＨ(特にｓＴＴＩで送信されるＵＲＬＬＣ上りリンクデータ)を送信する前に、センシングによって他の信号が送信中であることを検出した場合、ｓＴＴＩで送信されるＵＲＬＬＣ上りリンクデータをいつも最大電力又は特定の電力値で送信することができる。
【０１６９】
オプションＢ３において、特定の電力値とは、標準文書上に定義されているか、或いはシステム情報又は無線リソース制御(ｒａｄｉｏ  ｒｅｓｏｕｒｃｅ  ｃｏｎｔｒｏｌ，ＲＲＣ)信号によりＵＥに設定される電力値である。
【０１７０】
＜Ｃ．データ復元(ｒｅｃｏｖｅｒｙ)性能改善のためのデータマッピング方法＞
【０１７１】
遅延が重要なデータ(以下、ＰＤＳＣＨ２)が、遅延がそれほど重要ではないデータ(以下、ＰＤＳＣＨ１)リソースをパンクチャリングして送信される場合、ＰＤＳＣＨ２がＰＤＳＣＨ１に及ぼす影響を抑えるために、以下の方法が使用される。ＵＥは以下のようなマッピング方式が使用されたと仮定して、自分が受信した信号をリソース領域からデマッピングすることができる。ＵＥはデマッピングされた信号に基づいて復号を行う。
【０１７２】
−インターコードブロック(ＣＢ)インターリービング
【０１７３】
ＰＤＳＣＨで送信されるデータが複数個のコードブロック(ｃｏｄｅ  ｂｌｏｃｋ，ＣＢ)にセグメントされて送信されることができる。既存のＬＴＥ／ＬＴＥ−Ａシステムでは複数のＣＢは順にリソースにマッピングされた。例えば、ＣＢ０〜ＣＢ４９までのＣＢが周波数を先にし、時間を後にする(ｆｒｅｑｕｅｎｃｙ  ｆｉｒｓｔ、ｔｉｍｅ  ｓｅｃｏｎｄ)順に送信リソースにマッピングされる。この場合、一部のＯＦＤＭシンボル領域が他のＰＤＳＣＨによりパンクチャリングされて送信される場合、特定のコードブロックのほとんどのリソースがパンクチャリングされる危険がある。従って、特定のコードブロックを正確に受信できない可能性が高くなる。従って、このように他のデータの送信による干渉をランダム化(ｒａｎｄｏｍｉｚａｔｉｏｎ)するために、送信装置はインタ−ＣＢ間にインターリービングを行う。即ち、コードブロックを連結する過程で複数個のコードブロックを連続して連結することではなく、任意に又は特定の関数によって複数個のコードブロックから１つ又は複数個のビットずつ選択してコードブロックを連結することができる。又はコードブロックの連結後に連結されたコードブロックが任意に又は特定の関数によってインターリービングされることができる。
【０１７４】
−サブＰＲＢ内のデータマッピング
【０１７５】
他のデータの送信によってパンクチャリングされるリソース領域を最小化するために、ｓＴＴＩで送信されるデータ(又はＵＲＬＬＣデータ)を送信する時に、送信装置は１つのＰＲＢ内の一部周波数領域にのみデータを送信する代わりに、最大限広いＰＲＢ領域にかけてデータを送信することができる。即ち、例えば、ｓＴＴＩデータを２５つのＰＲＢに送信する代わりに、１つのＰＲＢ当たりに半分(例えば、６つ)の副搬送波でデータを送信して総５０つのＰＲＢにデータを送信することができる。これを一般化して、送信装置はＮ個のＰＲＢにデータを送信する代わりに、１つのＰＲＢ内で１／Ｋ個の副搬送波のみを使用して、総Ｎ＊Ｋ  ＰＲＢにデータを送信することができる。これによりｓＴＴＩで送信されるデータ(又はＵＲＬＬＣデータ)によりパンクチャリングされるリソースの量が減少する。
【０１７６】
−時間優先(ｔｉｍｅ−ｆｉｒｓｔ)リソースマッピング
【０１７７】
特定のコードブロックのほとんどのリソースがパンクチャリングされて該当コードブロックを正確に受信できない可能性が増加することを防止するために、既存の周波数−優先リソースマッピングの代わりに、時間−優先リソースマッピングが行われることができる。即ち、データの送信時に、データがマッピングされるＯＦＤＭシンボルインデックスをｔ＝０，１，…，Ｔとし、副搬送波インデックスをｆ＝０，１，…，Ｆとすると、時間−優先リソースマッピングは最低の副搬送波インデックス、最低のＯＦＤＭシンボルインデックスからデータマッピングを行って、まずＯＦＤＭシンボルインデックスが増加する方向にリソースマッピングを行う。ＯＦＤＭシンボルインデックスがＴになると、次にはｔ＝０にセットし、副搬送波インデックスｆを１だけ増加させた後にデータマッピングを行って、再びＯＦＤＭシンボルインデックスが増加する方向にリソースマッピングを行う。このようにｔ＝Ｔ、ｆ＝Ｆになるまでデータマッピングを行う。コードブロックが複数個存在する場合は、インデックスの低いコードブロックがインデックスの高いコードブロックより先にマッピングされる。このようにリソースマッピングが行われると、１つのコードブロックが時間軸に広がって送信されるので、特定のＯＦＤＭシンボル領域がパンクチャリングされたり干渉されたりした場合に、特定のコードブロックのみに影響を及ぼすことを防止できる。
【０１７８】
−時間−優先マッピング及び周波数−優先マッピングの組み合わせ
【０１７９】
特定のコードブロックのほとんどのリソースがパンクチャリングされて該当コードブロックを正確に受信できない可能性が増加することを防止するために、時間−優先リソースマッピング及び周波数−優先マッピングの組み合わせる方式が使用される。
【０１８０】
＊データがマッピングされる周波数領域を複数の領域に分け、各々の周波数領域内において周波数を先にし、時間を後にする(ｆｒｅｑｕｅｎｃｙ  ｆｉｒｓｔ，ｔｉｍｅ  ｓｅｃｏｎｄ)マッピングが行われる。例えば、周波数領域をＭ個に分け、周波数領域を示すインデックスをｍ＝０，１，…，Ｍとすると、以下の順でリソースマッピングが行われる。
【０１８１】
【表２】
2019526189.tif 000004
【０１８２】
＊又はデータがマッピングされるＯＦＤＭシンボル領域を複数の領域に分け、各々のＯＦＤＭシンボル領域内において時間を先にし、周波数を後にするマッピングが行われることができる。例えば、ＯＦＤＭシンボル領域をＮ個に分け、ＯＦＤＭシンボル領域を示すインデックスをｎ＝０，１，…，Ｎとすると、以下の順でリソースマッピングが行われる。
【０１８３】
【表３】
2019526189.tif 000005
【０１８４】
輸送ブロックが１つ又は少ない数のコードブロックに分けられる場合、リソースマッピング方式が必要ではないことがある。従って、このマッピング方式の場合、ＭＣＳ(ｍｏｄｕｌａｔｉｏｎ  ａｎｄ  ｃｏｄｉｎｇ  ｓｃｈｅｍｅ)インデックス、変調順番(ｍｏｄｕｌａｔｉｏｎ  ｏｒｄｅｒ)又は郵送ブロックのサイズ(ｔｒａｎｓｐｏｒｔ  ｂｌｏｃｋ  ｓｉｚｅ，ＴＢＳ)(或いはＴＢＳインデックス)によってＭ値又はＮ値が決定される。又は、Ｍ値又はＮ値は輸送ブロックが分けられるコードブロックの個数によって決定されることもできる。又はＤＣＩ又はＲＲＣ信号を通じてデータ送信に適用されるＭ値又はＮ値が設定されることができる。
【０１８５】
−分散(ｄｉｓｔｒｉｂｕｔｅｄ)リソースマッピング
【０１８６】
図１０は本発明によるリソースマッピング方法を例示する図である。図１０に示した領域はデータがマッピングされるリソース領域を意味し、１つのスペースは１つのＲＥを示す。図１０において各々のＲＥに表示された数字はリソースがマッピングされる順序を示す。図１０において空いている(数字が表記されていない)ＲＥ位置はリソースマッピングの順序表記を省略したものである。
【０１８７】
なお、ＰＤＳＣＨ２がＰＤＳＣＨ１に及ぼす影響を抑えながらも時間多様性(ｔｉｍｅ  ｄｉｖｅｒｓｉｔｙ)の利得と周波数多様性(ｆｒｅｑｕｅｎｃｙ  ｄｉｖｅｒｓｉｔｙ)の利得を得るために、分散リソースマッピングが使用されることができる。例えば、特定の関数又は規則によってデータが送信されるリソース内でリソースマッピング順序が時間軸及び周波数軸に全て分散されるようにリソースマッピングが行われることができる。
【０１８８】
このような分散リソースマッピングのために、データのリソースマッピングが対角線(ｄｉａｇｏｎａｌ)方向に行われる。既存のＬＴＥ／ＬＴＥ−Ａシステムで使用された時間−優先リソースマッピング或いは周波数−優先リソースマッピングは、リソース割り当て領域の境界に至るまでには副搬送波インデックス及びＯＦＤＭシンボルインデックスのうちいずれか１つのみが変わるのに反して、本発明による分散リソースマッピングでは、該当データに割り当てられたリソース領域の時間境界(即ち、最大ＯＦＤＭシンボルインデックス)或いは周波数境界(即ち、最大副搬送波インデックス)に至る前にも副搬送波インデックスとＯＦＤＭシンボルインデックスの両方を変更する。例えば、周波数軸のリソース要素(ｒｅｓｏｕｒｃｅ  ｅｌｅｍｅｎｔ，ＲＳ)インデックスと時間軸のＲＳインデックスを各々ｍ、ｎとすると、ｍ＝０，ｎ＝０であるＲＥからデータのリソースマッピングを始め、リソースマッピングを行う次のＲＥのインデックスｍ、ｎは、以前に使用したＲＥインデックスに比べて各々ａ(例えば、ａ＝１)だけ増加する。例えば、ａが１である場合、ｍ＝ｘ、ｎ＝ｙのＲＥインデックスの後に使用するＲＥインデックスは、ｍ＝ｘ＋１，ｎ＝ｙ＋１である。但し、各々のインデックスが、データが送信されるリソース位置から外れないようにするために、ｍ＝ｘ，ｎ＝ｙであるＲＥインデックスの後に使用するＲＥインデックスはｍ＝(ｘ＋１)ｍｏｄ  Ｍ，ｎ＝(ｙ＋１)ｍｏｄＮになる。この時、ＭはＰＤＳＣＨが送信される副搬送波の個数を、ＮはＰＤＳＣＨが送信されるＯＦＤＭシンボルの個数を意味する。即ち、マッピング順序においてデータが最初にマッピングされるＲＥ(ｍ１，ｎ１)を１番目のＲＥとし、ＲＥ(ｍｉ＋１，ｎｉ＋１)をデータがマッピングされるｉ＋１番目(ｉ＝１，２，３、…)のＲＥとすると、データがマッピングされるｉ＋１番目のＲＥのインデックス対(ｍｉ＋１，ｎｉ＋１)は、(ｍｉ＋１，ｎｉ＋１)＝((ｍｉ＋１)ｍｏｄ  Ｍ，(ｎｉ＋１)ｍｏｄ  Ｎ))で与えられる。かかるリソースマッピングの例が図１０(ａ)，(ｂ)に示されている。特に、図１０(ａ)はＰＤＳＣＨが送信されるＯＦＤＭシンボルの個数が１４個、ＰＤＳＣＨが送信される副搬送波の個数が２４個であり、ａ＝１である場合を例示しており、図１０(ｂ)はＰＤＳＣＨが送信されるＯＦＤＭシンボルの個数が２個、ＰＤＳＣＨが送信される副搬送波の個数が２４個であり、ａ＝１である場合を例示している。この時、リソースマッピングを行うＲＥの位置に既にリソースマッピングが行われている場合は、時間インデックス又は周波数インデックスをｂ(例えば、ｂ＝１)だけ増加させる。データがマッピングされるＲＥのリソースが他のチャネル／信号(例えば、参照信号)によって使用される場合、リソースのマッピングがパンクチャリング又はレートマッチングされる。
【０１８９】
この分散リソースマッピング方法の他の例として、時間優先マッピング又は周波数優先マッピングを行い、時間インデックス及び／又は周波数インデックスが１より大きい間隔で増加することができる。例えば、周波数インデックスｍ＝ｘ、時間インデックスｎ＝ｙのＲＥでリソースマッピングが行われると、次にリソースマッピングを行うＲＥインデックスはｍ＝ｘ＋ａ，ｎ＝ｙ＋ｂになり、ここでａ，ｂは１より大きい定数である。この時、ＲＥインデックスがデータ送信リソースの境界に至ってそれ以上増加できない場合には、ＲＥインデックスはラップアラウンド(Ｗｒａｐ  Ａｒｏｕｎｄ)して０値にリセットされる。即ち、マッピング順序においてデータが最初にマッピングされるＲＥ(ｍ１，ｎ１)を１番目のＲＥとし、ＲＥ(ｍｉ＋１，ｎｉ＋１)をデータがマッピングされるｉ＋１番目(ｉ＝１，２，３、…)のＲＥとすると、データがマッピングされるｉ＋１番目のＲＥのインデックス対(ｍｉ＋１，ｎｉ＋１)は、(ｍｉ＋１，ｎｉ＋１)＝((ｍｉ＋ａ)ｍｏｄ  Ｍ，(ｎｉ＋ｂ)ｍｏｄ  Ｎ))で与えられる。図１０(ｃ)はＰＤＳＣＨが送信されるＯＦＤＭシンボルの個数が２個、ＰＤＳＣＨが送信される副搬送波の個数が２４個であり、ａ＝１４，ｂ＝１である場合を例示している。この時、リソースマッピングを行うＲＥの位置に既にリソースマッピングが行われている場合は、時間インデックス又は周波数インデックスをｃ(例えば、ｃ＝１)だけ増加させる。データがマッピングされるＲＥのリソースが他のチャネル／信号(例えば、参照信号)によって使用される場合、リソースのマッピングがパンクチャリング又はレートマッチングされる。
【０１９０】
上述したインターコードブロックのインターリービング、時間−優先リソースマッピング、時間−優先マッピング及び周波数−優先マッピングの組み合わせマッピング、及び／又は分散リソースマッピングによる送信方法は、以下のように行われる。
【０１９１】
＊１つの輸送ブロックが複数個のコードブロックに分けられた場合に上記の送信方法を適用できる。ここで、複数個のコードブロックとは、１）２つ以上のコードブロック、２）標準文書に定義されている特定個数以上のコードブロック、３）システム情報ブロック(ｓｙｓｔｅｍ  ｉｎｆｏｒｍａｔｉｏｎ  ｂｌｏｃｋ，ＳＩＢ)、ＲＲＣ信号などにより設定された特定個数以上のコードブロックを意味する。
【０１９２】
＊ＤＣＩを通じてデータ送信に上記の送信方法を適用するか否かが指示される。
【０１９３】
＊ＳＩＢ、ＲＲＣ信号などにより上記の送信方法を適用するか否かが指示される。
【０１９４】
＊データの遅延重要度がＳＩＢ、ＲＲＣ、ＤＣＩなどにより指示され、遅延が重要ではないデータと指示されると、上記の送信方法が適用されると仮定できる。
【０１９５】
＊特定の周波数領域リソース又は時間領域リソースが持続的に干渉を受ける状況を防止するために、再送信(ｒｅｔｒａｎｓｍｉｓｓｉｏｎ)時ごとに送信方法を変えることができる。例えば、初期送信の場合と再送信の場合に適用されるリソースマッピング方式を変えることができる。又は冗長度バージョン(ｒｅｄｕｎｄａｎｃｙ  ｖｅｒｓｉｏｎ、ＲＶ)値又は新しいデータ指示者(ｎｅｗ  ｄａｔａ  ｉｎｄｉｃａｔｏｒ，ＮＤＩ)トグル値によって適用されるリソースマッピング方式を変えることができる。
【０１９６】
＊ＭＣＳインデックス、変調順番又はＴＢＳ(或いはＴＢＳインデックス)によって上記の送信方法を適用するか否かが決定される。例えば、特定値以下のＭＣＳインデックス、変調順番又はＴＢＳ(或いはＴＢＳインデックス)がｃｏｎｆｉｇｕｒｅされた場合は、既存のリソースマッピング方法を使用し、特定値より大きいＭＣＳインデックス、ｍｏｄｕｌａｔｉｏｎ  ｏｒｄｅｒ又はＴＢサイズ(ＴＢＳインデックス)が設定された場合には、提案されたリソースマッピング方法が適用される。
【０１９７】
＜Ｄ．ブラインド復号を通じるデータ受信方法＞
【０１９８】
ｅＮＢが、遅延が重要なＵＥ(例えば、ＵＲＬＬＣ  ＵＥ)にデータを送信するために、相対的に遅延が重要ではないＵＥ(例えば、ｅＭＢＢ  ＵＥ)に送信するデータをパンクチャリングして、該当リソースの位置で遅延が重要なＵＥのデータを送信することができる。この場合、相対的に遅延が重要ではないＵＥが、自分に送信されるデータの一部がパンクチャリングされたにもかかわらずデータを成功裏に受信できるように、以下の方法を使用できる。本発明では説明の便宜上、遅延が重要なＵＥをＵＲＬＬＣ  ＵＥと称し、相対的に遅延が重要ではないＵＥをｅＭＢＢ  ＵＥと称する。
【０１９９】
まずｅＮＢはｅＭＢＢ  ＵＥにデータがパンクチャリングされることができる１つ又は複数個の候補リソースを知らせる。かかる情報はＲＲＣ又はＤＣＩにより設定される。これによりｅＭＢＢ  ＵＥは自分にデータが送信される時に、パンクチャリング無しに自分に設定されたリソースを通じてデータが送信されるか、或いはｅＮＢから通知されたパンクチャリング候補リソース又は複数のパンクチャリング候補リソースのうちの１つ(又は複数個)の候補リソースを使用して自分のデータがパンクチャリングされて送信されることができると判断する。この時、ｅＭＢＢ  ＵＥにデータが送信される時、ｅＭＢＢ  ＵＥは実際パンクチャリングされたか否かと、パンクチャリングリソースの位置を分からない。従って、ｅＭＢＢ  ＵＥは、パンクチャリングされなかった場合及びｅＮＢから通知されたパンクチャリング候補リソース又は複数のパンクチャリング候補リソースのうちの１つ(又は複数個)の候補リソースを使用してデータがパンクチャリングされた場合について、ブラインド復号によりデータの受信を図ることができる。
【０２００】
例えば、ｅＭＢＢ送信リソース内にパンクチャリングリソース候補位置１と２が存在すると、これらのリソース位置に関する情報をｅＮＢがｅＭＢＢ  ＵＥに設定することができる。例えば、パンクチャリングリソース候補の位置１はＯＦＤＭシンボル＃ｍであり、パンクチャリングリソース候補の位置２はＯＦＤＭシンボル＃ｎである。この場合、ｅＭＢＢ  ＵＥはデータの受信時、パンクチャリングされずにデータが送信されたケース、パンクチャリングリソース候補の位置１がパンクチャリングされてデータが送信されたケース、パンクチャリングリソース候補の位置２がパンクチャリングされてデータが送信されたケース、及び／又はパンクチャリングリソース候補の位置１、２がいずれもパンクチャリングされてデータが送信されたケースについて、ブラインド復号を行う。
【０２０１】
図１１は、本発明を実行する送信装置１０及び受信装置２０の構成要素を示すブロック図である。
【０２０２】
送信装置１０及び受信装置２０は、情報及び／又はデータ、信号、メッセージなどを搬送する無線信号を送信又は受信できる無線周波数（ｒａｄｉｏ  ｆｒｅｑｕｅｎｃｙ、ＲＦ）ユニット１３，２３と、無線通信システムにおける通信と関連した各種情報を記憶するメモリ１２，２２と、上記ＲＦユニット１３，２３及びメモリ１２，２２などの構成要素と動作的に連結され、上記構成要素を制御して該当装置が前述した本発明の実施例の少なくとも１つを行うようにメモリ１２，２２及び／又はＲＦユニット１３，２３を制御するように構成された（ｃｏｎｆｉｇｕｒｅｄ）プロセッサ１１，２１とをそれぞれ備える。
【０２０３】
メモリ１２，２２は、プロセッサ１１，２１の処理及び制御のためのプログラムを格納することができ、入／出力される情報を臨時記憶することができる。メモリ１２，２２をバッファーとして活用することができる。
【０２０４】
プロセッサ１１，２１は、通常、送信装置又は受信装置内の各種モジュールの全般的な動作を制御する。特に、プロセッサ１１，２１は、本発明を実行するための各種の制御機能を実行することができる。プロセッサ１１，２１は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶこともできる。プロセッサ１１，２１は、ハードウェア（ｈａｒｄｗａｒｅ）、ファームウェア（ｆｉｒｍｗａｒｅ）、ソフトウェア、又はそれらの結合によって具現することができる。ハードウェアを用いて本発明を具現する場合には、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などをプロセッサ４００ａ，４００ｂに具備することができる。一方、ファームウェアやソフトウェアを用いて本発明を具現する場合には、本発明の機能又は動作を実行するモジュール、手順又は関数などを含むようにファームウェアやソフトウェアを構成することができ、本発明を実行するように構成されたファームウェア又はソフトウェアは、プロセッサ１１，２１内に設けられてもよく、メモリ１２，２２に記憶されてプロセッサ１１，２１によって駆動されてもよい。
【０２０５】
送信装置１０のプロセッサ１１は、プロセッサ１１又はプロセッサ１１と接続されたスケジューラからスケジュールされて外部に送信される信号及び／又はデータに対して所定のコーディング（ｃｏｄｉｎｇ）及び変調（ｍｏｄｕｌａｔｉｏｎ）を行った後にＲＦユニット１３に送信する。例えば、プロセッサ１１は、送信しようとするデータ列を逆多重化及びチャネルコーディング、スクランブリング、変調過程などを経てＫ個のレイヤに変換する。コーディングされたデータ列はコードワードとも呼ばれ、ＭＡＣ階層が提供するデータブロックである輸送ブロックと等価である。１輸送ブロック(ｔｒａｎｓｐｏｒｔ  ｂｌｏｃｋ，ＴＢ)は１コードワードにコーディングされ、各々のコードワードは１つ以上のレイヤ形態で受信装置に送信される。周波数アップコンバートのためにＲＦユニット１３はオシレーター（ｏｓｃｉｌｌａｔｏｒ）を備えることができる。ＲＦユニット１３は、Ｎｔ個（Ｎｔは１以上の正の整数）の送信アンテナを有することができる。
【０２０６】
受信装置２０の信号処理過程は、送信装置１０の信号処理過程の逆に構成される。プロセッサ２１の制御下に、受信装置２０のＲＦユニット２３は送信装置１０によって送信された無線信号を受信する。ＲＦユニット２３はＮｒ個の受信アンテナを有することができ、ＲＦユニット２３は、受信アンテナで受信した信号のそれぞれを周波数ダウンコンバート（ｆｒｅｑｕｅｎｃｙ  ｄｏｗｎ−ｃｏｎｖｅｒｔ）して基底帯域信号に復元する。ＲＦユニット２３は、周波数ダウンコンバートのためにオシレーターを備えることができる。プロセッサ２１は、受信アンテナで受信した無線信号に対する復号（ｄｅｃｏｄｉｎｇ）及び復調（ｄｅｍｏｄｕｌａｔｉｏｎ）を行い、送信装置１０が本来送信しようとしたデータを復元することができる。
【０２０７】
ＲＦユニット１３，２３は、１つ以上のアンテナを具備する。アンテナは、プロセッサ１１，２１の制御下に、本発明の一実施例によって、ＲＦユニット１３，２３によって処理された信号を外部に送信したり、外部から無線信号を受信してＲＦユニット１３，２３に伝達する機能を果たす。アンテナは、アンテナポートとも呼ばれる。各アンテナは、１つの物理アンテナに該当してもよく、１つよりも多い物理アンテナ要素（ｅｌｅｍｅｎｔ）の組合せによって構成されてもよい。各アンテナから送信された信号は、受信装置２０でそれ以上分解することができない。該当アンテナに対応して送信された参照信号（ｒｅｆｅｒｅｎｃｅ  ｓｉｇｎａｌ、ＲＳ）は、受信装置２０の観点で見たアンテナを定義し、チャネルが１つの物理アンテナからの単一（ｓｉｎｇｌｅ）無線チャネルか或いは上記アンテナを含む複数の物理アンテナ要素（ｅｌｅｍｅｎｔ）からの合成（ｃｏｍｐｏｓｉｔｅ）チャネルかに関係なく、上記受信装置２０にとって上記アンテナに対するチャネル推定を可能にする。すなわち、アンテナは、上記アンテナ上のシンボルを伝達するチャネルが、上記同一アンテナ上の他のシンボルが伝達される上記チャネルから導出されうるように定義される。複数のアンテナを用いてデータを送受信する多重入出力（Ｍｕｌｔｉ−Ｉｎｐｕｔ  Ｍｕｌｔｉ−Ｏｕｔｐｕｔ、ＭＩＭＯ）機能を支援するＲＦユニットの場合は、２個以上のアンテナと接続することができる。
【０２０８】
本発明の実施例において、ＵＥは、上りリンクでは送信装置１０として動作し、下りリンクでは受信装置２０として動作する。本発明の実施例において、ｅＮＢは、上りリンクでは受信装置２０として動作し、下りリンクでは送信装置１０として動作する。以下、ＵＥに具備されたプロセッサ、ＲＦユニット及びメモリを、ＵＥプロセッサ、ＵＥ  ＲＦユニット及びＵＥメモリとそれぞれ称し、ｅＮＢに具備されたプロセッサ、ＲＦユニット及びメモリを、ｅＮＢプロセッサ、ｅＮＢ  ＲＦユニット及びｅＮＢメモリとそれぞれ称する。
【０２０９】
ｅＮＢプロセッサはセクションＡに記載の本発明の提案に従って下りリンクデータを送信するようにｅＮＢ  ＲＦユニットを制御する。ｅＮＢプロセッサはパンクチャリングされた部分を示すパンクチャリング情報をＵＥに送信するようにｅＮＢ  ＲＦユニットを制御する。ＵＥプロセッサはセクジョンＡに記載の本発明の提案に従って下りリンクデータを受信するようにＵＥ  ＲＦユニットを制御する。ＵＥプロセッサはセクションＡに記載の本発明の提案に従うパンクチャリング情報に基づいて下りリンクデータがパンクチャリングされた部分の信号がないと仮定或いは復元して下りリンクデータを復号することができる。
【０２１０】
ｅＮＢプロセッサはセクジョンＡのオプションＡ３に記載の本発明の提案に従って上りリンクデータを受信するようにｅＮＢ  ＲＦユニットを制御する。ＵＥプロセッサはセクジョンＡのオプションＡ３に記載の本発明の提案に従って上りリンクデータを送信するようにＵＥ  ＲＦユニットを制御する。
【０２１１】
ＵＥプロセッサはセクジョンＢに記載の本発明の提案に従ってＰＵＳＣＨを送信或いはＰＵＳＣＨの送信を中断するようにＵＥ  ＲＦユニットを制御する。ｅＮＢプロセッサはセクジョンＢに記載の本発明の提案に従ってＰＵＳＣＨを受信或いはＰＵＳＣＨの受信を中断するようにｅＮＢ  ＲＦユニットを制御する。
【０２１２】
ｅＮＢプロセッサはセクションＣに記載の本発明の提案に従って下りリンクデータを下りリンクデータが割り当てられた時間−周波数リソース領域にマッピングすることができる。ＵＥプロセッサは下りリンクデータが割り当てられた時間−周波数リソース領域にセクションＣに記載の本発明の提案に従って下りリンクデータがマッピングされたと仮定し、下りリンクデータを復元或いは復号する。即ち、ＵＥプロセッサはセクジョンＣに記載の本発明の提案に従って時間−周波数リソース領域で受信した信号をセクションＣに記載の本発明の提案に従ってデマッピングし、デマッピングされた信号を復号する。
【０２１３】
ＵＥプロセッサは本発明のセクションＤに記載の本発明の提案に従ってパンクチャリングされたリソースをブラインド検出することもできる。
【０２１４】
上述したように開示された本発明の好適な実施例に関する詳細な説明は、当業者が本発明を具現して実施できるように提供された。上記では本発明の好適な実施例を参照して説明したが、当該技術の分野における熟練した当業者にとっては、添付の特許請求の範囲に記載された本発明を様々に修正及び変更させることができるということは明らかである。したがって、本発明は、ここに開示された実施の形態に制限しようとするものではなく、ここに開示された原理及び新規な特徴と一致する最も広い範囲を与えようとするものである。
【産業上の利用可能性】
【０２１５】
本発明の実施例は、無線通信システムにおいて、基地局又はユーザ器機、その他の装備に用いることができる。
【図１】
2019526189.tif 000006
【図２】
2019526189.tif 000007
【図３】
2019526189.tif 000008
【図４】
2019526189.tif 000009
【図５】
2019526189.tif 000010
【図６】
2019526189.tif 000011
【図７】
2019526189.tif 000012
【図８】
2019526189.tif 000013
【図９】
2019526189.tif 000014
【図１０】
2019526189.tif 000015
【図１１】
2019526189.tif 000016
【手続補正書】
【提出日】平成30年12月17日(2018.12.17)
【手続補正１】
【補正対象書類名】明細書
【補正対象項目名】０１４０
【補正方法】変更
【補正の内容】
【０１４０】
＊オプションＡ１−３）オプションＡ１−１及びオプションＡ１−２の場合、データが送信される全てのＯＳ(グループ)又はほとんどのＯＳ(グループ)でＰＩ_ＣＨが送信される。この場合、ＰＩ_ＣＨ送信によりオーバーヘッドが増加するという短所がある。この問題を解決するために、送信装置はＰＩ_ＣＨを通じて該当チャネルが送信されるＯＦＤＭシンボル(グループ)(以下、ＯＦＤＭシンボル(グループ))の次のＯＦＤＭシンボル(グループ)がデータ送信に使用されるか否かを指示し、受信装置はＰＩ_ＣＨが検出されないと、現在のＯＦＤＭシンボル(グループ)がデータ送信に使用され、ＰＩ_ＣＨが検出されると、現在のＯＦＤＭシンボル(グループ)がデータ送信に使用されなかったことを指示するものと判断することができる。この場合、図９のように、６つのＯＦＤＭシンボル(グループ)が存在し、ＯＳ(グループ)＃４がデータ送信に使用されなかった時、ｅＮＢはＯＳ(グループ)＃３でＰＩ_ＣＨを送信することにより、ＵＥがＯＳ(グループ)＃４がデータ送信に使用されなかったことを判断できるようにし、ＯＳ(グループ)＃４でＰＩ_ＣＨを送信しないことにより、ＵＥがＯＳ(グループ)＃５がデータ送信に使用されたことを判断できるようにする。
【手続補正２】
【補正対象書類名】明細書
【補正対象項目名】０１８０
【補正方法】変更
【補正の内容】
【０１８０】
＊データがマッピングされる周波数領域を複数の領域に分け、各々の周波数領域内において周波数を先にし、時間を後にする(ｆｒｅｑｕｅｎｃｙ  ｆｉｒｓｔ，ｔｉｍｅ  ｓｅｃｏｎｄ)マッピングが行われる。例えば、周波数領域をＭ個に分け、周波数領域を示すインデックスをｍ＝０，１，…，Ｍ−１とすると、以下の順でリソースマッピングが行われる。
【手続補正３】
【補正対象書類名】明細書
【補正対象項目名】０１８１
【補正方法】変更
【補正の内容】
【０１８１】
【表２】
2019526189.tif 000017
【手続補正４】
【補正対象書類名】明細書
【補正対象項目名】０１８２
【補正方法】変更
【補正の内容】
【０１８２】
＊又はデータがマッピングされるＯＦＤＭシンボル領域を複数の領域に分け、各々のＯＦＤＭシンボル領域内において時間を先にし、周波数を後にするマッピングが行われることができる。例えば、ＯＦＤＭシンボル領域をＮ個に分け、ＯＦＤＭシンボル領域を示すインデックスをｎ＝０，１，…，Ｎ−１とすると、以下の順でリソースマッピングが行われる。
【手続補正５】
【補正対象書類名】明細書
【補正対象項目名】０１８３
【補正方法】変更
【補正の内容】
【０１８３】
【表３】
2019526189.tif 000018
【手続補正６】
【補正対象書類名】特許請求の範囲
【補正対象項目名】全文
【補正方法】変更
【補正の内容】
【特許請求の範囲】
【請求項１】
使用者器機が下りリンクデータを受信する方法において、
第１時間間隔内で前記下りリンクデータを受信することと、
第２時間間隔内で下りリンク制御情報を受信することと、
前記下りリンク制御情報に基づいて前記下りリンクデータを復号(ｄｏｃｏｄｅ)することを含み、
前記第１時間間隔は時間ドメインで多数の直交周波数分割多重化(ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ)シンボルを含み、
前記下りリンク制御情報は、前記時間ドメインで前記第２時間間隔より先行する前記第１時間間隔に属する前記多数のＯＦＤＭシンボルのうち、前記下りリンクデータが存在しない１つ以上のＯＦＤＭシンボルに関する情報を含む、下りリンクデータ受信方法。
【請求項２】
前記第１時間間隔内の前記多数のＯＦＤＭシンボルは、前記時間ドメインで複数のＯＦＤＭシンボルグループに分けられ、
前記下りリンクデータが存在しない前記１つ以上のＯＦＤＭシンボルに関する情報は、複数のビットを有するビットマップを含み、
前記複数のビットは前記複数のＯＦＤＭシンボルグループに各々(ｒｅｓｐｅｃｔｉｖｅｌｙ)対応し、
前記複数のビットの各々は、前記下りリンクデータが対応ＯＦＤＭシンボルグループ内に存在するか否かを示す、請求項１記載の下りリンクデータ受信方法。
【請求項３】
前記下りリンク制御情報は、前記第２時間間隔内の共通探索空間上の物理下りリンク制御チャネルを通じて受信される、請求項１記載の下りリンクデータ受信方法。
【請求項４】
前記下りリンクデータが存在しない前記１つ以上のＯＦＤＭシンボルは、遅延に敏感なデータによってパンクチャリングされた時間−周波数リソースを含む、請求項１記載の下りリンクデータ受信方法。
【請求項５】
前記下りリンクデータは組み合わせリソースマッピング方式或いは分散リソースマッピング方式に基づいて前記第１時間間隔内の時間−周波数上で受信され、
前記組み合わせリソースマッピング方式は、前記時間−周波数リソースに含まれたＸ個の時間領域の各々で時間を先にし、周波数を後にするマッピング方式で前記下りリンクデータをマッピングし、ここで、Ｘは１より大きい定数であり、
前記分散リソースマッピング方式は、前記時間−周波数リソース内で斜線方向に前記下りリンクデータをマッピングする、請求項１記載の下りリンクデータ受信方法。
【請求項６】
下りリンクデータを受信する使用者機器において、
無線周波数(ｒａｄｉｏ  ｆｒｅｑｕｅｎｃｙ，ＲＦ)ユニットと、
前記ＲＦユニットを制御するように構成されたプロセッサを含み、
前記プロセッサは、
第１時間間隔内で前記下りリンクデータを受信するように前記ＲＦユニットを制御し、
第２時間間隔内で下りリンク制御情報を受信するように前記ＲＦユニットを制御し、
前記下りリンク制御情報に基づいて前記下りリンクデータを復号するように構成され、
前記第１時間間隔は時間ドメインで多数の直交周波数分割多重化(ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ)シンボルを含み、
前記下りリンク制御情報は、前記時間ドメインで前記第２時間間隔より先行する前記第１時間間隔に属する前記多数のＯＦＤＭシンボルのうち、前記下りリンクデータが存在しない１つ以上のＯＦＤＭシンボルに関する情報を含む、使用者器機。
【請求項７】
前記第１時間間隔内の前記多数のＯＦＤＭシンボルは、前記時間ドメインで複数のＯＦＤＭシンボルグループに分けられ、
前記下りリンクデータが存在しない前記１つ以上のＯＦＤＭシンボルに関する情報は、複数のビットを有するビットマップを含み、
前記複数のビットは前記複数のＯＦＤＭシンボルグループに各々(ｒｅｓｐｅｃｔｉｖｅｌｙ)対応し、
前記複数のビットの各々は、前記下りリンクデータが対応ＯＦＤＭシンボルグループ内に存在するか否かを示す、請求項６記載の使用者器機。
【請求項８】
前記下りリンク制御情報は、前記第２時間間隔内の共通探索空間上の物理下りリンク制御チャネルを通じて受信される、請求項６記載の使用者器機。
【請求項９】
前記下りリンクデータが存在しない前記１つ以上のＯＦＤＭシンボルは、遅延に敏感なデータによってパンクチャリングされた時間−周波数リソースを含む、請求項６記載の使用者器機。
【請求項１０】
基地局が下りリンクデータを送信する方法において、
第１時間間隔内で第１下りリンクデータを使用者器機に送信することと、
前記第１時間間隔内の前記第１下りリンクデータに割り当てられた時間−周波数リソースの一部をパンクチャリングして第２下りリンクデータを送信することと、
第２時間間隔内で下りリンク制御情報を前記使用者器機に送信することを含み、
前記第１時間間隔は時間ドメインで多数の直交周波数分割多重化(ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ)シンボルを含み、
前記下りリンク制御情報は、前記時間ドメインで前記第２時間間隔より先行する前記第１時間間隔に属する前記多数のＯＦＤＭシンボルのうち、前記下りリンクデータが存在しない１つ以上のＯＦＤＭシンボルに関する情報を含む、下りリンクデータ送信方法。
【請求項１１】
前記第１時間間隔内の前記多数のＯＦＤＭシンボルは、前記時間ドメインで複数のＯＦＤＭシンボルグループに分けられ、
前記下りリンクデータが存在しない前記１つ以上のＯＦＤＭシンボルに関する情報は、複数のビットを有するビットマップを含み、
前記複数のビットは前記複数のＯＦＤＭシンボルグループに各々(ｒｅｓｐｅｃｔｉｖｅｌｙ)対応し、
前記複数のビットの各々は、前記第１下りリンクデータが対応ＯＦＤＭシンボルグループ内に存在するか否かを示す、請求項１０記載の下りリンクデータ送信方法。
【請求項１２】
前記下りリンク制御情報は、前記第２時間間隔内の共通探索空間上の物理下りリンク制御チャネルを通じて送信される、請求項１０記載の下りリンクデータ送信方法。
【請求項１３】
前記第１下りリンクデータが存在しない前記１つ以上のＯＦＤＭシンボルは、前記時間−周波数リソースの前記一部を含み、
前記第２下りリンクデータは遅延に敏感なデータである、請求項１０記載の下りリンクデータ送信方法。
【請求項１４】
前記第１下りリンクデータを前記使用者器機に割り当てされた前記時間−周波数リソースにマッピングすることを含み、
前記第１下りリンクデータは組み合わせリソースマッピング方式或いは分散リソースマッピング方式に基づいて前記時間−周波数リソースにマッピングされ、
前記組み合わせリソースマッピング方式は、前記時間−周波数リソースに含まれたＸ個の時間領域の各々で時間を先にし、周波数を後にするマッピング方式で前記第１下りリンクデータをマッピングし、ここで、Ｘは１より大きい定数であり、
前記分散リソースマッピング方式は、前記時間−周波数リソース内で斜線方向に前記第１下りリンクデータをマッピングする、請求項１０記載の下りリンクデータ送信方法。
【請求項１５】
下りリンクデータを送信する基地局において、
無線周波数(ｒａｄｉｏ  ｆｒｅｑｕｅｎｃｙ，ＲＦ)ユニットと、
前記ＲＦユニットを制御するように構成されたプロセッサを含み、
前記プロセッサは、
第１時間間隔内で第１下りリンクデータを使用者器機に送信するように前記ＲＦユニットを制御し、
前記第１時間間隔内で前記第１下りリンクデータに割り当てられた時間−周波数リソースの一部をパンクチャリングして第２下りリンクデータを送信するように前記ＲＦユニットを制御し、
前記第２時間間隔内で下りリンク制御情報を前記使用者器機に送信するように前記ＲＦユニットを制御するように構成され、
前記第１時間間隔は時間ドメインで多数の直交周波数分割多重化(ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ)シンボルを含み、
前記下りリンク制御情報は、前記時間ドメインで前記第２時間間隔より先行する前記第１時間間隔に属する前記多数のＯＦＤＭシンボルのうち、前記下りリンクデータが存在しない１つ以上のＯＦＤＭシンボルに関する情報を含む、基地局。
【請求項１６】
前記第１時間間隔内の前記多数のＯＦＤＭシンボルは、前記時間ドメインで複数のＯＦＤＭシンボルグループに分けられ、
前記下りリンクデータが存在しない前記１つ以上のＯＦＤＭシンボルに関する情報は、複数のビットを有するビットマップを含み、
前記複数のビットは前記複数のＯＦＤＭシンボルグループに各々(ｒｅｓｐｅｃｔｉｖｅｌｙ)対応し、
前記複数のビットの各々は、前記第１下りリンクデータが対応ＯＦＤＭシンボルグループ内に存在するか否かを示す、請求項１５記載の基地局。
【請求項１７】
前記下りリンク制御情報は、前記第２時間間隔内の共通探索空間上の物理下りリンク制御チャネルを通じて送信される、請求項１５記載の基地局。
【請求項１８】
前記第１下りリンクデータが存在しない前記１つ以上のＯＦＤＭシンボルは、前記時間−周波数リソースの前記一部を含み、
前記第２下りリンクデータは遅延に敏感なデータである、請求項１５記載の基地局。
【国際調査報告】
2019526189.tif 000019
2019526189.tif 000020
2019526189.tif 000021
2019526189.tif 000022
2019526189.tif 000023
2019526189.tif 000024
2019526189.tif 000025
2019526189.tif 000026
2019526189.tif 000027
2019526189.tif 000028
2019526189.tif 000029
2019526189.tif 000030